(57)【要約】【課題】近隣家庭同士の防犯として、画像を家庭のテレビで見ることができ、かつサーバ装置がいらない構成の簡単なネットワークカメラ防犯システムを提供する。【解決手段】インターネットに接続する複数のネットワークカメラ２と、これらのネットワークカメラと通信するカメラ付携帯電話３と、ネットワークカメラに接続されたテレビ１３とで構成されるネットワークカメラ防犯システムであって、カメラ付携帯電話３は、ネットワークカメラを選択する選択情報を送信する電子メール送受アプリ４５を有し、ネットワークカメラ２は、選択情報をメール制御部４２が受信すると、受信した選択情報に基づき、他のネットワークカメラから撮像画像を取得する画像取得部４１と、取得した画像をテレビ１３へ出力する表示出力制御部３８とを有している。【選択図】図３
2007074338.tif 000002
【特許請求の範囲】
【請求項１】
インターネットに接続された複数のネットワークカメラと、これらのネットワークカメラと通信するユーザ端末装置と、前記ネットワークカメラに接続された画像表示装置とで構成されるネットワークカメラ防犯システムであって、
前記ユーザ端末装置は、前記画像表示装置と接続されたネットワークカメラに対して、少なくとも１つ以上のネットワークカメラを選択する選択情報を入力する入力手段と、この入力手段によって入力された選択情報をインターネットを介して送信する送信手段を備え、
前記ネットワークカメラは、設置された場所を撮像する撮像手段と、前記ユーザ端末装置の前記送信手段にて送信された選択情報をインターネットを介して受信する受信手段と、前記受信手段にて受信した選択情報に基づきインターネットを介して他のネットワークカメラの撮像手段にて撮像された画像を取得する画像取得手段と、前記画像取得手段にて取得した画像を前記画像表示装置へ出力する表示出力手段と、を具備することを特徴とするネットワークカメラ防犯システム。
【請求項２】
前記選択情報は、画像取得先のネットワークカメラのＵＲＬを含み、ユーザ端末装置の前記送信手段は、前記ＵＲＬを電子メールに記載して送信し、ネットワークカメラの前記受信手段は、受信した電子メールに記載された前記ＵＲＬを記憶するＵＲＬ記憶手段を備え、前記画像取得手段が、前記ＵＲＬ記憶手段にて記憶されたＵＲＬによって特定されるネットワークカメラの撮像手段にて撮像された画像をインターネットを介して取得することを特徴とする請求項１記載のネットワークカメラ防犯システム。
【請求項３】
前記選択情報は、画像取得先のネットワークカメラのＵＲＬを符号化した二次元コードを含み、ユーザ端末装置の前記送信手段は、前記二次元コードを電子メールに添付して送信し、ネットワークカメラの前記受信手段は、受信した電子メールに添付された前記二次元コードを復元する二次元コード復元手段と、前記二次元コード復元手段にて復元された前記ＵＲＬを記憶するＵＲＬ記憶手段とを備え、前記画像取得手段が、前記ＵＲＬ記憶手段にて記憶されたＵＲＬによって特定されるネットワークカメラの撮像手段にて撮像された画像をインターネットを介して取得することを特徴とする請求項１記載のネットワークカメラ防犯システム。
【請求項４】
ネットワークカメラの前記表示出力手段は、前記画像取得手段が取得した画像をＮＴＳＣ信号に変換するＮＴＳＣ信号変換手段を備えたことを特徴とする請求項１から請求項３の何れかに記載のネットワークカメラ防犯システム。
【請求項５】
前記ネットワークカメラは、防犯ネットワークを構成するネットワークカメラのＵＲＬを予め記憶する防犯監視ＵＲＬ記憶手段と、少なくとも１つのセンサ信号を入力するセンサ入力手段と、前記センサ信号の意味を示すセンサ情報を予め記憶するセンサ情報記憶手段と、前記センサ入力手段にてセンサ信号が入力されたときに前記表示出力手段が出力している画像の取得先のネットワークカメラＵＲＬとともにこのセンサ信号の意味を示すセンサ情報を、前記防犯監視ＵＲＬ記憶手段に記憶されたＵＲＬのネットワークカメラに対してインターネットを介して送信するセンサ情報送信手段と、を備え、ネットワークカメラの前記受信手段が、前記センサ情報送信手段にて送信されたセンサ情報及び画像取得先ＵＲＬを受信すると、前記画像取得手段は、受信した画像取得先ＵＲＬに基づき、このＵＲＬのネットワークカメラに対してインターネットを介して画像を要求し、前記ネットワークカメラの撮像手段にて撮像された画像を取得し、この画像に受信した前記センサ情報を合成して、前記表示出力手段が前記画像表示装置へ出力することを特徴とする請求項１から請求項４の何れかに記載のネットワークカメラ防犯システム。
【請求項６】
前記防犯監視ＵＲＬ記憶手段は、防犯ネットワークを構成するネットワークカメラのＵＲＬとその名称を対応づけて記憶し、前記センサ情報送信手段は、前記センサ情報及び画像取得先ＵＲＬとともに前記画像取得先ＵＲＬに対応する名称を、前記防犯監視ＵＲＬ記憶手段に記憶されたＵＲＬのネットワークカメラに対してインターネットを介して送信することを特徴とする請求項５記載のネットワークカメラ防犯システム。
【請求項７】
前記防犯監視ＵＲＬ記憶手段は、防犯ネットワークを構成するネットワークカメラのＵＲＬとその名称を対応づけて記憶し、ネットワークカメラの前記受信手段が、前記センサ情報送信手段にて送信されたセンサ情報及び画像取得先ＵＲＬを受信すると、前記画像取得手段は、受信した画像取得先ＵＲＬに基づき、このＵＲＬのネットワークカメラに対してインターネットを介して画像を要求し、前記ネットワークカメラの撮像手段にて撮像された画像を取得し、前記防犯監視ＵＲＬ記憶手段に記憶された前記ＵＲＬに対応する名称を読み出し、取得した画像に前記センサ情報及び読み出した名称を合成して、前記表示出力手段が前記画像表示装置へ出力することを特徴する請求項５記載のネットワークカメラ防犯システム。
【請求項８】
前記ネットワークカメラは、このネットワークカメラに対応するユーザ端末装置のメールアドレスを記憶するユーザ端末記憶手段と、前記センサ情報送信手段にて送信されたセンサ情報及び画像取得先ＵＲＬを前記受信手段により受信すると、受信した画像取得先ＵＲＬ及びセンサ情報を、前記ユーザ端末記憶手段に記憶されているユーザ端末装置に対してインターネットを介して転送する転送手段と、を備えることを特徴とする請求項５から請求項７の何れかに記載のネットワークカメラ防犯システム。
【請求項９】
前記ネットワークカメラは、少なくとも１つのセンサ信号を入力するセンサ入力手段と、前記センサ信号の意味を示すセンサ情報とそのセンサ信号の入力時に画像を配信するネットワークカメラを特定する配信先ＵＲＬとを予め記憶する配信情報記憶手段と、前記センサ入力手段にてセンサ信号が入力されたときにこのセンサ信号の意味を示すセンサ情報および配信先ＵＲＬを前記配信情報記憶手段から読み出して、前記表示出力手段が出力している画像の取得先のネットワークカメラに対して送信する配信情報送受信手段と、送信されたセンサ情報と配信先ＵＲＬを前記配信情報送受信手段で受信して、この配信先ＵＲＬで特定されるネットワークカメラに対してインターネットを介して自己の撮像手段にて撮像された画像を前記センサ情報とともに配信する画像配信手段と、を備えることを特徴とする請求項１から請求項４の何れかに記載のネットワークカメラ防犯システム。
【請求項１０】
前記ネットワークカメラは、防犯ネットワークを構成するネットワークカメラのＵＲＬを予め記憶する防犯監視ＵＲＬ記憶手段を有し、前記画像配信手段は、前記配信情報送受信手段で受信したセンサ情報に配信先ＵＲＬが特定されていない場合、前記防犯監視ＵＲＬ記憶手段に記憶されているＵＲＬで特定されるネットワークカメラに対してインターネットを介して自己の撮像手段にて撮像された画像を前記センサ情報とともに配信することを特徴とする請求項９記載のネットワークカメラ防犯システム。
【請求項１１】
ユーザ端末装置の前記入力手段は、防犯ネットワークを構成するネットワークカメラのＵＲＬを入力し、前記送信手段は、前記入力手段によって入力されたＵＲＬを前記ネットワークカメラに送信し、前記ネットワークカメラは、前記送信手段から送信されたＵＲＬを前記受信手段で受信して、前記防犯監視ＵＲＬ記憶手段によって記憶することを特徴とする請求項５から請求項１０記載の何れかに記載のネットワークカメラ防犯システム。
【請求項１２】
ユーザ端末装置の前記入力手段は、指定したネットワークカメラの前記センサ入力手段により入力されるセンサ信号とその意味を示すセンサ情報を対応付けて入力し、前記送信手段は、前記入力手段によって入力されたセンサ情報を前記ネットワークカメラに送信し、前記ネットワークカメラは、前記送信手段から送信されたセンサ情報を前記受信手段で受信して、前記センサ情報記憶手段によって記憶することを特徴とする請求項５から請求項１１の何れかに記載のネットワークカメラ防犯システム。
【請求項１３】
インターネットに接続された複数のネットワークカメラと、これらのネットワークカメラと通信するユーザ端末装置と、前記ネットワークカメラに接続された画像表示装置とで構成されるネットワークカメラ防犯システムのネットワークカメラ選択方法であって、
前記ユーザ端末装置において、前記画像表示装置と接続されたネットワークカメラに対して、少なくとも１つ以上のネットワークカメラを選択する選択情報を入力する入力ステップと、この入力ステップにおいて入力された選択情報をインターネットを介して送信する選択情報送信ステップを含み、
前記ネットワークカメラにおいて、設置された場所を撮像する撮像ステップと、前記ユーザ端末装置の前記選択情報送信ステップにて送信された選択情報をインターネットを介して受信する選択情報受信ステップと、前記選択情報受信ステップにて受信した選択情報に基づきインターネットを介して他のネットワークカメラの撮像ステップにて撮像された画像を取得する画像取得ステップと、前記画像取得ステップにて取得した画像を前記画像表示装置へ出力する表示出力ステップと、を含むことを特徴とするネットワークカメラ選択方法。
【発明の詳細な説明】
【技術分野】
【０００１】
本発明は、複数のネットワークカメラをインターネットに接続しネットワークカメラを利用する防犯システムで、ネットワークカメラは撮像要求を受信すると、他のネットワークカメラに撮像を要求し、その撮像画像をインターネットを介して受信して表示出力するネットワークカメラ防犯システムと、そのネットワークカメラ選択方法に関する。
【背景技術】
【０００２】
近年、学童誘拐や強盗など一般家庭が犯罪に巻き込まれるケースが増加しており、ホームセーフティ、防犯への関心、需要が高まりカメラ付ドアホン、防犯用の監視カメラや、ビデオカメラをネットワークに接続し、Ｗｅｂサーバ・コンピュータ上に蓄積したカメラ画像を携帯電話からインターネットを経由して閲覧したり、カメラに携帯電話から直接インターネットを経由して画像アクセスできる機能のあるＩＰカメラ、Ｗｅｂカメラなどの設置台数や、各種の防犯、防災警備システムのビジネスも増え続けている。
【０００３】
そこで、このような要望に答えるべく、監視カメラとインターネットを利用した防犯、防災監視システムが案出されている（例えば特許文献１参照）。
【０００４】
このようなシステムとしては、各ユーザの監視対象、例えば事務所、店舗、住居、倉庫等を監視カメラで撮像し、カメラのリアルタイム映像をインターネットを介して受信する監視センターが、その映像をインターネットのホームページ上に公開し、監視カメラの映像をホームページ閲覧者がリアルタイムに監視できるようにし、閲覧者が侵入者、火災等の異常を認知した場合に電子メール機能を利用して警察や消防等の管轄所に通知する防犯、防災監視システムである。
【０００５】
従って、このようなシステムによれば、監視センターは、各々のユーザ監視部から送信された監視カメラのリアルタイム映像をインターネットを介して受信し、監視センターのホームページ上に公開するので、ユーザはホームページ閲覧の際、監視センターへの登録時付与された監視区域コードを指定することで所望する監視区域のリアルタイムの映像をインターネット経由で見ることができる。
【０００６】
昨今、監視カメラはネットワーク機能、ＦＴＰ（ファイル・トランスファ・プロトコル）機能、Ｗｅｂサーバ機能等を備え、ネットワークに接続されたパソコンに撮像画像を転送したり、パソコンあるいは携帯電話にＷｅｂサーバとして撮像画像の閲覧（ホームページ閲覧）も提供できるようになり、監視カメラあるいはネットワークカメラを利用した新しいビジネスの形態が日々進化しているのが現状である。
【０００７】
また、空き巣による盗難、居直り強盗、学童誘拐など一般家庭が犯罪へ巻き込まれるケースが増加しており、各家庭での防犯、地域ぐるみの防犯、警備会社のセキュリティシステム導入への関心も高まり、カメラ付ドアホンに取替えたり、車庫に監視カメラを設置したりする家庭が増えつつあるが、防犯を町内ごとに実施し、監視カメラによる町内防犯システムの構築までには至っていない。
【特許文献１】特開２００１−３２５６７８号公報(図１及び要約書参照)
【発明の開示】
【発明が解決しようとする課題】
【０００８】
しかしながら、上記のシステムによれば、防犯、防災監視システムは、監視カメラの撮像画像を送信するユーザ監視部と、その画像を受信してインターネットのホームページ上に公開する監視センターと、そのホームページの画像を閲覧（監視）し、不審者の監視区域への侵入、火災発生の監視、通報を業務とするホームページ閲覧者で構成・運用されるが、ホームページ公開用のサーバ設置などが必要となり、一般家庭で簡単に防犯システムとして導入できる構成にすることは困難である。
【０００９】
また、ホームページ閲覧者（監視者）は、閲覧対象としたユーザ監視部に不審者の侵入、火災等の異常事態を認知した際、インターネットを介した電子メールでユーザ監視者、警察、消防等の所轄署に通知するものであるが、ホームページ閲覧者（監視者）は閲覧対象を常時閲覧し、異常事態発生の際は通報先に電子メールで送信するなど人的な負担が大きく、一般家庭に防犯対策のために導入することが難しい。
【００１０】
さらに、システムの運用に際し、監視センターへのユーザ登録が必須で、登録後に付与されたユーザコード、ユーザ監視部毎の監視区域コードを指定し、所望の監視画像をホームページで閲覧できるが、一般家庭に常時電源を入りとする監視センターやホームページ公開用サーバの設置、ユーザの登録管理、ユーザコードや監視区域コードの付与などの実施を一般家庭で実現することは難しい。
【００１１】
そこで、本発明は上記点に鑑みてなされたものであり、その目的とするところは近隣家庭同士の防犯として、画像を家庭のテレビで等で見ることができ、かつサーバ装置がいらない構成の簡単なネットワークカメラ防犯システムを提供し、また、そのネットワークカメラ選択方法を提供することにある。
【課題を解決するための手段】
【００１２】
上記目的を達成するため、本発明のネットワークカメラ防犯システムは、インターネットに接続された複数のネットワークカメラと、これらのネットワークカメラと通信するユーザ端末装置と、前記ネットワークカメラに接続された画像表示装置とで構成されるネットワークカメラ防犯システムであって、前記ユーザ端末装置は、前記画像表示装置と接続されたネットワークカメラに対して、少なくとも１つ以上のネットワークカメラを選択する選択情報を入力する入力手段と、この入力手段によって入力された選択情報をインターネットを介して送信する送信手段を備え、前記ネットワークカメラは、設置された場所を撮像する撮像手段と、前記ユーザ端末装置の前記送信手段にて送信された選択情報をインターネットを介して受信する受信手段と、前記受信手段にて受信した選択情報に基づきインターネットを介して他のネットワークカメラの撮像手段にて撮像された画像を取得する画像取得手段と、前記画像取得手段にて取得した画像を前記画像表示装置へ出力する表示出力手段とを具備するようにした。
【００１３】
また、本発明のネットワークカメラ選択方法は、インターネットに接続された複数のネットワークカメラと、これらのネットワークカメラと通信するユーザ端末装置と、前記ネットワークカメラに接続された画像表示装置とで構成されるネットワークカメラ防犯システムのネットワークカメラ選択方法であって、前記ユーザ端末装置において、前記画像表示装置と接続されたネットワークカメラに対して、少なくとも１つ以上のネットワークカメラを選択する選択情報を入力する入力ステップと、この入力ステップにおいて入力された選択情報をインターネットを介して送信する選択情報送信ステップを含み、前記ネットワークカメラにおいて、設置された場所を撮像する撮像ステップと、前記ユーザ端末装置の前記選択情報送信ステップにて送信された選択情報をインターネットを介して受信する選択情報受信ステップと、前記選択情報受信ステップにて受信した選択情報に基づきインターネットを介して他のネットワークカメラの撮像ステップにて撮像された画像を取得する画像取得ステップと、前記画像取得ステップにて取得した画像を前記画像表示装置へ出力する表示出力ステップとを含むようにした。
【発明の効果】
【００１４】
上記のように構成された本発明のネットワークカメラ防犯システムによれば、ネットワークカメラは、インターネットを介して複数のネットワークカメラと接続し、各々のネットワークカメラに対応付けた選択情報であるＵＲＬコードを記憶し、この選択情報に基づき、他のネットワークカメラの撮像手段にて撮像した画像をインターネットを介して取得し、画像表示装置で取得画像を表示するようにしたので、ユーザ端末装置のユーザは、撮像を所望するネットワークカメラを特定する選択情報を、画像表示装置と接続されたネットワークカメラにインターネットを介して送信するだけで、ネットワークカメラは送信された選択情報を受信すると、リアルタイムにインターネットを介して選択情報に基づき、ネットワークカメラからの画像を取得し、画像表示装置に取得画像を表示出力できるため、ネットワークカメラと一般家庭のテレビ、携帯電話等による安価なシステム構成を提供することができる。
【００１５】
また、本発明のネットワークカメラ選択方法によれば、ネットワークカメラは、インターネットを介して複数のネットワークカメラと接続し、各々のネットワークカメラに対応付けた選択情報であるＵＲＬコードを記憶し、この選択情報に基づき、他のネットワークカメラが撮像した画像をインターネットを介して取得し、画像表示装置で取得画像を表示できるようにしたので、ユーザ端末装置のユーザは、撮像を所望するネットワークカメラを特定する選択情報を、画像表示装置と接続されたネットワークカメラにインターネットを介して送信するだけで、ネットワークカメラは送信された選択情報を受信すると、リアルタイムにインターネットを介して選択情報に基づき、ネットワークカメラからの画像を取得し、画像表示装置に取得画像を表示出力できるため、ネットワークカメラと一般家庭のテレビ、携帯電話等を利用して簡単な防犯システムを提供することができる。
【発明を実施するための最良の形態】
【００１６】
本願請求項１記載のネットワークカメラ防犯システムは、インターネットに接続された複数のネットワークカメラと、これらのネットワークカメラと通信するユーザ端末装置と、前記ネットワークカメラに接続された画像表示装置とで構成されるネットワークカメラ防犯システムであって、前記ユーザ端末装置は、前記画像表示装置と接続されたネットワークカメラに対して、少なくとも１つ以上のネットワークカメラを選択する選択情報入力する入力手段と、この入力手段によって入力された選択情報をインターネットを介して送信する送信手段を備え、前記ネットワークカメラは、設置された場所を撮像する撮像手段と、前記ユーザ端末装置の前記送信手段にて送信された選択情報をインターネットを介して受信する受信手段と、前記受信手段にて受信した選択情報に基づきインターネットを介して他のネットワークカメラの撮像手段にて撮像された画像を取得する画像取得手段と、前記画像取得手段にて取得した画像を前記画像表示装置へ出力する表示出力手段とを具備するようにした。
【００１７】
従って、本願請求項１記載のネットワークカメラ防犯システムによれば、ユーザ端末装置が、画像表示装置と接続されたネットワークカメラに対して、入力された少なくとも1つ以上のネットワークカメラを選択する選択情報をインターネットを介して送信し、ネットワークカメラが、ユーザ端末装置から送信された選択情報をインターネットを介して受信すると、この選択情報に基づき他のネットワークカメラから設置された場所を撮像する撮像手段が撮像した画像をインターネットを介して取得し、その取得した画像を画像表示装置に表示するようにしたので、ユーザ端末装置のユーザは、撮像を所望するネットワークカメラを特定する選択情報を、画像表示装置と接続されたネットワークカメラにインターネットを介して送信するだけで、ネットワークカメラは送信された選択情報を受信すると、リアルタイムにインターネットを介して選択情報に基づき、ネットワークカメラからの画像を取得し、画像表示装置に取得画像を表示出力できるため、ネットワークカメラと一般家庭のテレビ、携帯電話等による安価なシステム構成を提供することができる。
【００１８】
本願請求項２記載のネットワークカメラ防犯システムは、本願請求項１記載の構成に加えて、前記選択情報は、画像取得先のネットワークカメラのＵＲＬを含み、ユーザ端末装置の前記送信手段は、前記ＵＲＬを電子メールに記載して送信し、ネットワークカメラの前記受信手段は、受信した電子メールに記載された前記ＵＲＬを記憶するＵＲＬ記憶手段を備え、前記画像取得手段が、前記ＵＲＬ記憶手段にて記憶されたＵＲＬによって特定されるネットワークカメラの撮像手段にて撮像された画像をインターネットを介して取得するようにした。
【００１９】
従って、本願請求項２記載のネットワークカメラ防犯システムによれば、前記選択情報が、画像取得先のネットワークカメラのＵＲＬを含み、前記ＵＲＬを前記ユーザ端末装置が電子メールに記載して送信し、前記ネットワークカメラが電子メールを受信すると、電子メールに記載された前記ＵＲＬを記憶すると共に、前記画像取得手段は記憶したＵＲＬに基づき特定されたネットワークカメラの撮像手段にて撮像された画像をインターネットを介して取得するようにしたので、同ＵＲＬコードに対して簡単な電子メール操作により所望のネットワークカメラに通信アクセスすることができ、さらには、同ＵＲＬに対応したネットワークカメラの撮像画像を容易に取得することができる。
【００２０】
本願請求項３記載のネットワークカメラ防犯システムは、本願請求項１記載の構成に加えて、前記選択情報は、画像取得先のネットワークカメラのＵＲＬを符号化した二次元コードを含み、ユーザ端末装置の前記送信手段は、前記二次元コードを電子メールに添付して送信し、ネットワークカメラの前記受信手段は、受信した電子メールに添付された前記二次元コードを復元する二次元コード復元手段と、前記二次元コード復元手段にて復元された前記ＵＲＬを記憶するＵＲＬ記憶手段とを備え、前記画像取得手段が、前記ＵＲＬ記憶手段にて記憶されたＵＲＬによって特定されるネットワークカメラの撮像手段にて撮像された画像をインターネットを介して取得するようにした。
【００２１】
従って、本願請求項３記載のネットワークカメラ防犯システムによれば、前記選択情報が、画像取得先のネットワークカメラのＵＲＬを符号化した二次元コードを含み、前記ＵＲＬを前記ユーザ端末装置が電子メールに添付して送信し、前記ネットワークカメラが電子メールを受信すると、電子メールに添付された前記ＵＲＬを符号した二次元コード画像を復元することで前記ＵＲＬコードを取得し、ＵＲＬを記憶すると共に、前記画像取得手段が記憶したＵＲＬに基づき特定されたネットワークカメラの撮像手段にて撮像された画像をインターネットを介して取得するようにしたので、前記ユーザ端末装置は、わざわざＵＲＬコードを入力しなくても、同ＵＲＬコードに対して二次元コード画像から所望のネットワークカメラに通信アクセスすることができ、さらには、同ＵＲＬに対応したネットワークカメラの撮像画像を容易に取得することができる。
【００２２】
本願請求項４記載のネットワークカメラ防犯システムは、本願請求項１から請求項３の何れかに記載の構成に加えて、ネットワークカメラの前記表示出力手段は、前記画像取得手段が取得した画像をＮＴＳＣ信号に変換するＮＴＳＣ信号変換手段を備えるようにした。
【００２３】
従って、本願請求項４記載のネットワークカメラ防犯システムによれば、前記画像取得手段が取得した画像をＮＴＳＣ信号に変換出力するので、安価な家庭のテレビジョンに表示することができる。
【００２４】
本願請求項５記載のネットワークカメラ防犯システムは、本願請求項１から請求項４の何れかに記載の構成に加えて、前記ネットワークカメラは、防犯ネットワークを構成するネットワークカメラのＵＲＬおよびメールアドレスを予め記憶する防犯監視ＵＲＬ記憶手段と、少なくとも１つのセンサ信号を入力するセンサ入力手段と、前記センサ信号の意味を示すセンサ情報を予め記憶するセンサ情報記憶手段と、前記センサ入力手段にてセンサ信号が入力されたときに前記表示出力手段が出力している画像の取得先のネットワークカメラＵＲＬとともにこのセンサ信号の意味を示すセンサ情報を、前記防犯監視ＵＲＬ記憶手段に記憶されたメールアドレスのネットワークカメラに対してインターネットを介して送信するセンサ情報送信手段と、を備え、ネットワークカメラの前記受信手段が、前記センサ情報送信手段にて送信されたセンサ情報及び画像取得先ＵＲＬを受信すると、前記画像取得手段は、受信した画像取得先ＵＲＬに基づき、このＵＲＬのネットワークカメラに対してインターネットを介して画像を要求し、前記ネットワークカメラの撮像手段にて撮像された画像を取得し、この画像に受信した前記センサ情報を合成して、前記表示出力手段へ出力するようにした。
【００２５】
従って、本願請求項５記載のネットワークカメラ防犯システムによれば、前記ネットワークカメラが、予め、防犯ネットワークを構成するネットワークカメラのＵＲＬを示す防犯監視ＵＲＬと、前記センサ信号の意味を示すセンサ情報を記憶し、前記センサ信号が入力されると、ネットワークカメラが記憶した防犯監視ＵＲＬに基づき、そのＵＲＬで特定されたネットワークカメラに対してインターネットを介して、センサ信号が入力されたときの前記表示手段が出力している画像の取得先を示すネットワークカメラＵＲＬと、入力信号の意味を示すセンサ情報を送信し、前記ネットワークカメラがそのネットワークカメラＵＲＬと、センサ情報を受信すると、受信したネットワークカメラＵＲＬに基づき、前記画像取得手段がこのＵＲＬのネットワークカメラに対してインターネットを介して画像を要求し、このＵＲＬで特定されたネットワークカメラの前記撮像手段にて撮像された画像を取得し、この画像に受信したセンサ情報を合成して前記表示出力手段へ出力し、前記画像表示装置が表示するようにしたので、例えば住宅に侵入しようとしている不審者、火災発生を見つけたときに、防犯ネットワークを構成するメンバーに異常情報の通報と、その異常情報の画面取得先ＵＲＬをネットワークカメラが送信するので、防犯ネットワーク構成メンバーは同時に異常事態の発生と、その異常事態の画像を画像表示装置で見ることができる。
【００２６】
本願請求項６記載のネットワークカメラ防犯システムは、本願請求項５記載の構成に加えて、前記防犯監視ＵＲＬ記憶手段は、防犯ネットワークを構成するネットワークカメラのＵＲＬとその名称を対応づけて記憶し、前記センサ情報送信手段は、前記センサ情報及び画像取得先ＵＲＬとともに前記画像取得先ＵＲＬに対応する名称を、前記防犯監視ＵＲＬ記憶手段に記憶されたメールアドレスのネットワークカメラに対してインターネットを介して送信するようにした。
【００２７】
従って、本願請求項６記載のネットワークカメラ防犯システムによれば、防犯監視ＵＲＬ記憶手段が、防犯ネットワークを構成しているネットワークカメラのＵＲＬと、その名称、例えばネットワークカメラの設置場所を示す名称（Ｄ宅）とを対応づけてネットワークカメラ毎に記憶し、センサ情報送信手段が、センサ信号が入力されると、センサ情報と、画像取得先ＵＲＬと、防犯監視ＵＲＬ記憶手段から、画像取得先ＵＲＬに対応する名称（Ｄ宅）を読出して、防犯監視ＵＲＬ記憶手段が記憶したメールアドレスに基づき、防犯ネットワークを構成しているネットワークカメラに対して、電子メールにてセンサ情報、ＵＲＬ、その名称（Ｄ宅）、を送信するようにしたので、この電子メールを受信したネットワークカメラは、受信した画像取得先ＵＲＬに基づいて、画像取得手段がこのＵＲＬのネットワークカメラに対して画像を要求し、ネットワークカメラの撮像手段が撮像した画像を取得して、その取得した画像に受信したセンサ情報と名称（Ｄ宅）を合成して表示出力手段へ出力することができる。
【００２８】
すなわち、画像表示装置にセンサ情報（不審者）と、名称（Ｄ宅）が表示され、Ｄ宅の住宅に侵入しようとしている不審者が画像と文字表示で容易にわかるようにできる。
【００２９】
本願請求項７記載のネットワークカメラ防犯システムは、本願請求項５記載の構成に加えて、前記防犯監視ＵＲＬ記憶手段は、防犯ネットワークを構成するネットワークカメラのＵＲＬとその名称を対応づけて記憶し、ネットワークカメラの前記受信手段が、前記センサ情報送信手段にて送信されたセンサ情報及び画像取得先ＵＲＬを受信すると、前記画像取得手段は、受信した画像取得先ＵＲＬに基づき、このＵＲＬのネットワークカメラに対してインターネットを介して画像を要求し、前記ネットワークカメラの撮像手段にて撮像された画像を取得し、前記防犯監視ＵＲＬ記憶手段に記憶された前記ＵＲＬに対応する名称を読み出し、取得した画像に前記センサ情報及び読み出した名称を合成して、前記表示出力手段へ出力するようにした。
【００３０】
従って、本願請求項７記載のネットワークカメラ防犯システムによれば、防犯監視ＵＲＬ記憶手段が、防犯ネットワークを構成しているネットワークカメラのＵＲＬと、その名称、例えばネットワークカメラの設置場所を示す名称（Ｄ宅）とを対応づけてネットワークカメラ毎に記憶し、このネットワークカメラの受信手段が、電子メールにて送信されたセンサ情報（例えば不審者）及び画像取得先ＵＲＬを受信すると、画像取得手段がこのＵＲＬのネットワークカメラ対して画像を要求し、ネットワークカメラの撮像手段が撮像した画像を取得して、防犯監視ＵＲＬ記憶手段にて記憶した画像取得先のＵＲＬとなったネットワークカメラの名称（Ｄ宅）を読出して、取得した画像に受信したセンサ情報とともに読出した名称（Ｄ宅）を合成して、表示出力手段へ出力するので、電子メールで名称を受信しなくても、そのネットワークカメラの設置場所を示す名称（Ｄ宅）が、センサ情報（不審者）とともに画像表示装置に表示され、Ｄ宅の住宅に侵入しようとしている不審者がいることが画像と文字表示で容易にわかる。
【００３１】
本願請求項８記載のネットワークカメラ防犯システムは、本願請求項５から請求項７の何れかに記載の構成に加えて、前記ネットワークカメラは、このネットワークカメラに対応するユーザ端末装置のメールアドレスを記憶するユーザ端末記憶手段と、前記センサ情報送信手段にて送信されたセンサ情報及び画像取得先ＵＲＬを前記受信手段により受信すると、受信した画像取得先ＵＲＬ及びセンサ情報を、前記ユーザ端末記憶手段に記憶されているユーザ端末装置に対してインターネットを介して転送する転送手段と、を備えるようにした。
【００３２】
従って、本願請求項８記載のネットワークカメラ防犯システムによれば、ユーザ端末記憶手段が、ユーザ端末装置を特定するメールアドレスを記憶し、受信手段が電子メールを受信する。転送手段が、ユーザ端末記憶手段にて記憶したユーザ端末装置のメールアドレスを読出し、そのメールアドレスに基づき、受信したメール内容のセンサ情報及び画像取得先ＵＲＬを、インターネットを介してユーザ端末装置に電子メールでメール転送するようにしたので、ユーザ端末装置はメールを受信して、センサ情報及び画像取得先ＵＲＬを表示することができる。したがって、外出していても、ユーザ端末装置を所持していれば、例えばＵＲＬで示した住宅に侵入しようとしている不審者がいることがわかる。
【００３３】
本願請求項９記載のネットワークカメラ防犯システムは、本願請求項１から請求項４の何れかに記載の構成に加えて、前記ネットワークカメラは、少なくとも１つのセンサ信号を入力するセンサ入力手段と、前記センサ信号の意味を示すセンサ情報とそのセンサ信号の入力時に画像を配信するネットワークカメラを特定する配信先ＵＲＬとを予め記憶する配信情報記憶手段と、前記センサ入力手段にてセンサ信号が入力されたときにこのセンサ信号の意味を示すセンサ情報および配信先ＵＲＬを前記配信情報記憶手段から読み出して、前記表示出力手段が出力している画像の取得先のネットワークカメラに対して送信する配信情報送受信手段と、送信されたセンサ情報と配信先ＵＲＬを前記配信送受信手段で受信して、この配信先ＵＲＬで特定されるネットワークカメラに対してインターネットを介して自己の撮像手段にて撮像された画像を前記センサ情報とともに配信する画像配信手段と、を備えるようにした。
【００３４】
従って、本願請求項９記載のネットワークカメラ防犯システムによれば、センサ入力手段にてセンサ信号が入力されると、配信情報送受信手段が、そのときに表示出力手段にて出力している画像の取得先のネットワークカメラに対して、センサ信号の意味を示すセンサ情報（例えば不審者）および配信先ＵＲＬを前記配信情報記憶手段から読み出してインターネットを介して送信し、送られたネットワークカメラでは、配信情報送受信手段にて、このセンサ情報および配信先ＵＲＬを受信すると、画像配信手段が、配信先ＵＲＬで特定されるネットワークカメラへ、受信したセンサ情報（不審者）とともに撮像した画像を配信するようにしたので、不審者の情報を迅速に知らせることができる。
【００３５】
すなわち、防犯システムの誰かが、表示されている画像で、例えば不審者を見つけて、センサ信号をオンにすると、不審者の文字とともに画像が、配信先ＵＲＬのネットワークカメラだけに画像配信されて表示するので、近隣家庭同士で不審者を警戒することができ、空き巣狙い等の犯罪を未然に防ぐことができる。また、公園での不審者の発見情報を子供のいる家庭に配信することで誘拐などを警戒することができる。
【００３６】
本願請求項１０記載のネットワークカメラ防犯システムは、本願請求項９記載の構成に加えて、前記ネットワークカメラは、防犯ネットワークを構成するネットワークカメラのＵＲＬを予め記憶する防犯監視ＵＲＬ記憶手段を有し、前記画像配信手段は、前記配信情報送受信手段で受信したセンサ情報に配信先ＵＲＬが特定されていない場合、前記防犯監視ＵＲＬ記憶手段に記憶されているＵＲＬで特定されるネットワークカメラに対してインターネットを介して自己の撮像手段にて撮像された画像を前記センサ情報とともに配信するようにした。
【００３７】
従って、本願請求項１０記載のネットワークカメラ防犯システムによれば、配信情報送受信手段にて受信したセンサ情報に配信先ＵＲＬが特定されていないとき、画像配信手段が、防犯監視ＵＲＬ記憶手段にて記憶されたネットワークカメラを特定するＵＲＬを読出して、自己の撮像手段にて撮像された画像をセンサ情報とともに配信するようにしたので、不審者の情報を迅速に知らせることができる。
【００３８】
すなわち、防犯システムを構成する複数のネットワークカメラに画像配信されて表示するので、町内全体で不審者を警戒することができ、空き巣狙い等の犯罪を未然に防ぐことができる。
【００３９】
本願請求項１１記載のネットワークカメラ防犯システムは、本願請求項５から請求項１０の何れかに記載の構成に加えて、ユーザ端末装置の前記入力手段は、防犯ネットワークを構成するネットワークカメラのＵＲＬを入力し、前記送信手段は、前記入力手段によって入力されたＵＲＬを前記ネットワークカメラに送信し、前記ネットワークカメラは、前記送信手段から送信されたＵＲＬを前記受信手段で受信して、前記防犯監視ＵＲＬ記憶手段によって記憶するようにした。
【００４０】
従って、本願請求項１１記載のネットワークカメラ防犯システムによれば、ユーザ端末装置の送信手段が、入力手段にて入力された防犯ネットワークを構成するネットワークカメラのＵＲＬをインターネットを介してネットワークカメラに送信し、ネットワークカメラの防犯監視ＵＲＬ記憶手段が、受信手段にて受信した防犯ネットワークを構成するネットワークカメラのＵＲＬを記憶するようにしたので、防犯システムを構成するネットワークカメラとしてＵＲＬが簡単な操作で登録され、防犯の撮像カメラとしてＵＲＬによるアクセスでの共有の利用ができるようになる。
【００４１】
本願請求項１２記載のネットワークカメラ防犯システムは、本願請求項５から請求項１１の何れかに記載の構成に加えて、ユーザ端末装置の前記入力手段は、指定したネットワークカメラの前記センサ入力手段により入力されるセンサ信号とその意味を示すセンサ情報を対応付けて入力し、前記送信手段は、前記入力手段によって入力されたセンサ情報を前記ネットワークカメラに送信し、前記ネットワークカメラは、前記送信手段から送信されたセンサ情報を前記受信手段で受信して、前記センサ情報記憶手段によって記憶するようにした。
【００４２】
従って、本願請求項１２記載のネットワークカメラ防犯システムによれば、ユーザ端末装置の送信手段が、センサ信号と対応付けて入力したセンサ情報を、インターネットを介してネットワークカメラに送信し、ネットワークカメラのセンサ情報記憶手段が、受信したセンサ情報を記憶するようにしたので、ユーザ端末装置（例えば携帯電話等）から、センサ信号の意味を、例えば不審者あるいは火災にするなどユーザが自由に意味付けして登録することができる。
【００４３】
本願請求項１３記載のネットワークカメラ選択方法は、インターネットに接続された複数のネットワークカメラと、これらのネットワークカメラと通信するユーザ端末装置と、前記ネットワークカメラに接続された画像表示装置とで構成されるネットワークカメラ防犯システムのネットワークカメラ選択方法であって、前記ユーザ端末装置において、前記画像表示装置と接続されたネットワークカメラに対して、少なくとも１つ以上のネットワークカメラを選択する選択情報を入力する入力ステップと、この入力ステップにおいて入力された選択情報をインターネットを介して送信する選択情報送信ステップを含み、前記ネットワークカメラにおいて、設置された場所を撮像する撮像ステップと、前記ユーザ端末装置の前記選択情報送信ステップにて送信された選択情報をインターネットを介して受信する選択情報受信ステップと、前記選択情報受信ステップにて受信した選択情報に基づきインターネットを介して他のネットワークカメラの撮像ステップにて撮像された画像を取得する画像取得ステップと、前記画像取得ステップにて取得した画像を前記画像表示装置へ出力する表示出力ステップと、を含むようにした。
【００４４】
従って、本願請求項１３記載のネットワークカメラ選択方法によれば、ユーザ端末装置が、画像表示装置と接続されたネットワークカメラに対して、入力された少なくとも１つ以上のネットワークカメラを選択する選択情報をインターネットを介して送信し、ネットワークカメラが、ユーザ端末装置から送信された前記選択情報をインターネットを介して受信すると、この選択情報に基づき他のネットワークカメラから設置された場所を撮像する撮像手段が撮像した画像をインターネットを介して取得し、その取得した画像を画像表示装置に表示するようにしたので、ユーザ端末装置のユーザは、撮像を所望するネットワークカメラを特定する選択情報を、画像表示装置と接続されたネットワークカメラにインターネットを介して送信するだけで、ネットワークカメラは送信された選択情報を受信すると、リアルタイムにインターネットを介して選択情報に基づき、ネットワークカメラからの画像を取得し、画像表示装置に取得画像を表示出力できるため、ネットワークカメラと一般家庭のテレビ、携帯電話等を利用して簡単な防犯システムを提供することができる。
【００４５】
（実施の形態１）
以下、図面を参照して本発明のネットワークカメラ防犯システムおける第１の実施の形態を示すネットワークカメラ防犯システムの概念について説明する。図１は第１の実施の形態を示すネットワークカメラ防犯システムを示す概念図である。
【００４６】
尚、以下に説明するＵＲＬは、インターネットにおけるサーバを特定するためのアドレスの総称を意味し、例えばＷｅｂサーバ、メールサーバ等のＵＲＬがある。各サーバを特定するＵＲＬのアドレス指定には、ＵＲＬコードで入力する方法とＱＲコードで指定する方法がある。ＵＲＬコードで入力する方法は、ＵＲＬアドレスをテキスト形式で入力するもので、ＱＲコードで指定する方法は、入力されたテキストデータを符号化した二次元コードを用いるものである。また、請求項に記載の選択情報はＵＲＬに相当するものである。
【００４７】
図１に示すネットワークカメラ防犯システム１は、各家庭に設置されたネットワークカメラ２とテレビ１３、ユーザが携帯するカメラ付携帯電話３、公共施設に設置された監視カメラ５で構成され、各々の家庭Ａ宅７、Ｂ宅８、Ｃ宅９に設置されたネットワークカメラ２Ａ、２Ｂ、２Ｃとをインターネット１５を介して接続し、個々のネットワークカメラ２Ａは家庭内に設置されたテレビ１３Ａと、ネットワークカメラ２Ｂはテレビ１３Ｂと、ネットワークカメラ２Ｃはテレビ１３Ｃに接続されている。
【００４８】
尚、記号の末尾のＡ、Ｂ、Ｃは設置されたＡ宅、Ｂ宅、Ｃ宅を意味するものであり、以下、同様である。
【００４９】
カメラ付携帯電話３Ａ、３Ｂは、携帯電話の契約電話会社を経由してインターネット１５を介して個々のネットワークカメラ２Ａ、２Ｂ、とに通信アクセスし、監視カメラ５は、公共施設１１に設置されインターネット１５を介して監視カメラの撮像画像を送信するもので、誰でも公開されたＵＲＬを指定することでパソコン等で閲覧できる。電子メール１４Ａ、１４Ｂは、カメラ付携帯電話３Ａ、３Ｂから送信された電子メールを示し、２ＢのＱＲコードと２ＣのＱＲコードは、カメラ付携帯電話３Ａが電子メール１４Ａに添付するＢ宅８のネットワークカメラ２Ｂ、Ｃ宅９のネットワークカメラ２ＣのＵＲＬを示す二次元コード画像である。
【００５０】
上記のように構成されたシステムで、例えばＢ宅８のユーザ（利用者）は、防犯ネットワークを構成するネットワークカメラ２Ｂに対してカメラ付携帯電話３Ｂの電子メール機能を使用し、所望する画像を撮像するネットワークカメラを特定するＵＲＬを電子メール１４Ｂに記載して送信すると、インターネット１５を介してネットワークカメラ２Ｂが電子メール１４Ｂを受信し、この電子メールに記載されたＵＲＬに基づき、Ａ宅７、Ｃ宅９に設置された他のネットワークカメラが撮像した画像をインターネットを介して取得し、その取得画像をテレビ１３ＢにＴＶ表示画像１０Ｂのように表示するものである。
【００５１】
尚、ネットワークカメラを特定するＵＲＬを２ＢのＱＲコード、２ＣのＱＲコードで示すような二次元コード画像を電子メールに添付して送信してもよく、２ＢのＱＲコードを電子メールに添付して送信するとＢ宅８のネットワークカメラ２Ｂが撮像したＢ宅をテレビ１３ＢにＴＶ表示画像１０Ｂのように表示する。またＴＶ表示画像１０Ｂは、各々の画像をテレビ１３Ｂでフル画面で表示しているが、マルチ画面表示すれば同時に１つ以上の画面を表示できるので一層見やすくできる。
【００５２】
図２はネットワークカメラ防犯システムのネットワークカメラ撮像イメージ示すイメージ図である。
【００５３】
図２に示すネットワークカメラ撮像イメージは、図１の各々の家庭に設置されたネットワークカメラ２Ａ、２Ｂ、２Ｃが撮像した画像領域を示し、ネットワークカメラ２ＡがＡ宅、ネットワークカメラ２ＢがＢ宅、ネットワークカメラ２ＣがＣ宅となるそれぞれの撮像領域を撮像し、その撮像した画像は図１で示したカメラ付携帯電話３からの電子メールにより撮像要求のあったネットワークカメラ２と接続されたテレビ１３がＴＶ表示画像１０として表示するものである。
【００５４】
図３は、ネットワークカメラ防犯システムのネットワークカメラ内部、及びカメラ付携帯電話の構成を示すブロック図である。
【００５５】
図３に示すカメラ付携帯電話３は、ユーザが操作する入力キー５０と、ユーザが入力したネットワークカメラ２を特定するＵＲＬコードを二次元コード（以下、ＱＲコードと記す）に符号化するＱＲコード符号化アプリ４６と、その符号化されたＱＲコードをメール添付画像として、あるいはメールに記載されたネットワークカメラを特定するＵＲＬコードを、インターネット１５経由で所望画像を出力させるネットワークカメラに対して電子メールで送信する電子メール送受信アプリ４５とを有している。
【００５６】
図３に示すネットワークカメラ２は、画像を撮像するカメラ機構部３３と、このカメラ機構部で撮像した撮像画像に画像処理を施す画像処理部４９と、この画像処理部４９にて画像処理を施した撮像画像を所定の画像形式、例えばＭＰＥＧ画像形式に変換する画像符号化処理部３４と、インターネット１５に接続されるＴＡ（ターミナルアダプタ）４４を制御し、インターネット１５との通信インターフェイスを司るインターネット接続部４３と、カメラ付携帯電話３が送信した電子メールを受信するメール制御部４２と、受信した電子メール内のＵＲＬに基づき、画像を取得する画像取得部４１と、画像取得部４１にて画面イメージ展開されたデータをテレビ１３に出力する表示出力制御部３８と、ネットワークカメラ２全体を制御するシステム制御部３２と、中央演算処理ユニットのＣＰＵ３１を有している。
【００５７】
尚、画像取得部４１は、画像の取得を制御するクライアント・サーバ制御部４１１と、カメラ機構部３３にて撮像した画像の閲覧を制御をするインターネット制御部４１２と、取得した画像データを表示画像に復元するブラウズ制御部４１３と、とを有している。
【００５８】
また、メール制御部４２は、ＱＲコードを抽出復元するＱＲコード復元部４２１と、復元されたＵＲＬコードを記憶するＵＲＬ記憶部４２２、とを有している。
【００５９】
また、表示出力制御部３８は、画面イメージ展開されたデータをＮＴＳＣ信号に変換するＮＴＳＣ信号変換部３８１を有している。
【００６０】
図４はカメラ付携帯電話から所望する画像を取得するためのネットワークカメラ選択動作イメージを示すイメージ図である。
【００６１】
図４に示すネットワークカメラ選択動作イメージは、画像を見ようとするテレビ１３Ａに接続されたネットワークカメラ２Ａに対して、インターネット１５を介してカメラ付携帯電話３Ａから画像を取得したいネットワークカメラを特定するＱＲコード又はＵＲＬコードを記載又は添付した電子メール１４Ａをネットワークカメラ２Ａに送信することによりネットワークカメラを選択する。
【００６２】
例えば、Ａ宅７からインターネット１５を介してＢ宅８に設置されたネットワークカメラ２Ｂの撮像した画像を、Ａ宅７のネットワークカメラ２Ａに接続されたテレビ１３Ａで見る場合、Ａ宅７のユーザ（利用者）はカメラ付携帯電話３Ａの電子メール機能を使用して、所望の画像を撮像するネットワークカメラ２Ｂを特定するＵＲＬコードを入力し、インターネット１５を介して電子メール１４Ａをネットワークカメラ２Ａに送信すると、ネットワークカメラ２Ａは電子メール１４Ａを受信し、その受信したネットワークカメラを特定するＵＲＬコードに基づき、インターネット１５を介してネットワークカメラ２Ｂの撮像した画像を取得して、テレビ１３Ａに表示する。
【００６３】
尚、電子メール１４Ａは、所望する画像を取得するネットワークカメラを特定するＱＲコードとＵＲＬコードを組み合せて電子メール１４Ａとすることもできる。
【００６４】
図５はカメラ付携帯電話の電子メールに関わるＱＲコード送信イメージを示すイメージ図である。
【００６５】
図５に示す電子メールのＱＲコード送信イメージは、図４に示すカメラ付携帯電話３Ａの表示画面に添付画像送信画面のように表示される。メール宛先として図４に示すネットワークカメラ２Ａを特定する２Ａメールアドレスとして、例えば２ａ＠ａｂｃ．ｄｅ．ｆｇを示し、添付画像として所望取得画像のネットワークカメラ２Ｂ及び２Ｃを特定するＱＲコード画像２ＢのＱＲコードと２ＣのＱＲコードを示している。カメラ付携帯電話３Ａはこれらの情報をインターネット１５を介してネットワークカメラ２Ａへ送信する。
【００６６】
図６はカメラ付携帯電話の電子メールに関わるＵＲＬコード送信イメージを示すイメージ図である。
【００６７】
図６に示す電子メールのＵＲＬコード送信イメージは、図４に示すカメラ付携帯電話３Ａの表示画面に電文送信画面のように表示される。図５で示した電子メールのＱＲコード送信イメージとの違いは、所望取得画像のネットワークカメラ２Ｂ及び２Ｃの特定を電文として２ＢのＵＲＬコード、例えばｈｔｔｐ：／／ｗｗｗ．２ｂ／及び２ＣのＵＲＬコード、ｈｔｐｐ：／／ｗｗｗ．２ｃ／のように図５で示した添付画像ではなくテキストで記載する点である。
【００６８】
尚、請求項記載のユーザ端末装置はカメラ付携帯電話３、送信手段は電子メール送受アプリ４５、入力手段は入力キー５０、撮像手段はカメラ機構部３３、受信手段はメール制御部４２、画像取得手段は画像取得部４１、画像表示装置はテレビ１３、表示出力手段は表示出力制御部３８、ＵＲＬ記憶手段はＵＲＬ記憶部４２２、二次元コード復元手段はＱＲコード復元部４２１、ＮＴＳＣ信号変換手段はＮＴＳＣ信号変換部３８１、に相当するものである。
【００６９】
次に第１の実施の形態を示すネットワークカメラ防犯システム１の動作について図７を参照して説明する。図７はカメラ付携帯電話３内部の電子メールに関わる電子メール処理動作を示すフロー図である。
【００７０】
図７に示す電子メール処理は、カメラ付携帯電話３を使用してテレビ１３と接続されたネットワークカメラ２に、所望の画像を撮像するネットワークカメラを特定するＵＲＬを電子メールで送信する処理である。
【００７１】
図７においてカメラ付携帯電話３は、ユーザ（利用者）のアプリ選択操作により電子メール作成モードを起動し（ステップＳ１１）、電子メール作成モードの入力画面を表示する（ステップＳ１２）。
【００７２】
ユーザ（利用者）は、図５または図６に示すカメラ付携帯電話３に表示された入力画面に従って所望の画像を見ようとするテレビ１３に接続されたネットワークカメラ２のメール宛先（アドレス）を入力し（ステップＳ１３）、次に所望する画像を撮像するネットワークカメラを特定するＵＲＬのＵＲＬ入力方法をＵＲＬコード（テキスト）か、またはＱＲコードとするかにより入力モードを選択する（ステップＳ１４）。
【００７３】
カメラ付携帯電話３は、入力モードにＵＲＬコードが選択されたと判定すると（ステップＳ１５）、キー入力されるＵＲＬコードを図６に示す電文としてＵＲＬ表示、ＵＲＬコードのキー入力を継続し（ステップＳ１６）、全てのＵＲＬコードの入力が完了したか否かを判定すべく、ステップＳ１７に移行する。
【００７４】
カメラ付携帯電話３内部の電子メール送受信アプリ４５は、ＵＲＬコードの入力が完了すると、インターネット１５を介してユーザ（利用者）が入力したメール宛先（アドレス）で特定されるネットワークカメラ２に対して、所望の画像を撮像するネットワークカメラを特定するＵＲＬがＵＲＬコード表示された電文を電子メール送信し（ステップＳ１８）、電子メールの送信が完了したか否かを判定すべく、ステップＳ１９に移行し、電子メールの送信完了が判定されるとこの電子メール処理を終了する。
【００７５】
カメラ付携帯電話３は、ステップＳ１５にて入力モードにＱＲコードが選択されたと判定すると、既に記憶保存されたＱＲコードのデータが存在するか否かを判定すべく、ステップＳ２０に移行し、記憶保存されたＱＲコードのデータがありと判定されると、その記憶保存されたＱＲコードのデータを読出し、画面にＱＲコードのデータを二次元バーコードの可視画像として表示する（ステップＳ２１）。
【００７６】
ユーザ（利用者）は、画面に表示された記憶保存のＱＲコードのデータが二次元バーコードの可視画像として表示された中から、所望の画像を撮像するネットワークカメラを特定するＵＲＬとなるＱＲコードを示す二次元バーコードの画像を選び、その選んだＱＲコードの画像を電子メールに送信画像として添付し（ステップＳ２２）、ステップＳ１８へ移行する。ステップＳ１８において、図５に示す所望の画像を撮像するネットワークカメラを特定するＵＲＬを添付画像とした電子メールをインターネット１５を介して、メール宛先（アドレス）で特定されるネットワークカメラ３に送信し、電子メールの送信が完了したか否かを判定すべく、ステップＳ１９に移行し、電子メールの送信完了が判定されるとこの電子メール処理を終了する。
【００７７】
カメラ付携帯電話３は、ステップＳ２０にて既に記憶保存されたＱＲコードデータがないと判定されると、キー入力されたテキストコードに基づきＱＲコードである二次元バーコードの画像を新規に生成するＱＲコード作成モードを起動する（ステップＳ２３）。
【００７８】
ユーザ（利用者）は、ステップＳ２３にて起動されたＱＲコード作成モード画面に従って、所望の画像を撮像するネットワークカメラを特定するＵＲＬを示すＱＲコードである二次元バーコードの画像を新規に生成するため、そのＱＲコードを生成するデータとなるＵＲＬコード（テキスト）をキー入力する（ステップＳ２４）。
【００７９】
カメラ付携帯電話３は、全てのＵＲＬコードの入力が完了したか否かを判定すべく、ステップＳ２５に移行する。全てのＵＲＬコードの入力が完了したと判定されると、カメラ付携帯電話３内部のＱＲコード符号化アプリ４６にて入力されたＵＲＬコードをＱＲコードである二次元バーコードに符号化処理する（ステップＳ２６）。
【００８０】
ＵＲＬコードをＱＲコードである二次元バーコードに符号化する処理は、入力されたテキストコードに基づき、ＱＲコード符号化アプリにて二次元バーコードの画像（ＱＲコード）を生成する処理であり、入力するテキストコードによりＱＲコード符号化アプリはユニーク（唯一）なＱＲコードである二次元バーコードを生成する。
【００８１】
カメラ付携帯電話３内部のＱＲコード符号化アプリ４６は、ＵＲＬコードをＱＲコードである二次元バーコードに符号化処理すると、その符号化処理されたＱＲコードである二次元バーコードを記憶保存する（ステップＳ２７）。記憶保存するとステップＳ２０に移行する。尚、ステップＳ２０からの重複する動作の説明については省略する。
【００８２】
図８はネットワークカメラ２のインターネット経由の画像取得に関わる処理動作を示すフロー図である。
【００８３】
図８においてネットワークカメラ２のインターネット１５経由の画像取得は、カメラ付携帯電話３にてインターネット１５を介して送信された所望の画像を撮像するネットワークカメラを特定するＵＲＬを記載又は添付画像とした電子メールを受信し、その受信した電子メールに基づき特定された他のネットワークカメラにて撮像された撮像画像をインターネット１５を介して画像取得部４１にて取得し、ＮＴＳＣ信号変換部３８１にてテレビ信号に変換し、表示出力制御部３８にてテレビ１３にその取得した画像を表示する処理動作である。
【００８４】
以下、図３と図８を参照して、ネットワークカメラの画像取得動作を説明する。ネットワークカメラ２内部のメール制御部４２は、通信インターフェイスを司るインターネット接続部４３、インターネット網との接続を司るＴＡ（ターミナルアダプタ）４４を制御し、インターネット１５を介して所定のインターネットサービスプロバイダ（インターネットサービス提供業者）のメールサーバにＰＯＰ（電子メール取得プロトコル）を使用して通信アクセスしメールの取得を行う（ステップＳ４１）。
【００８５】
尚、電子メールプロトコルとして他のインターネットメッセージアクセスプロトコル（ＩＭＡＰ）を使用してもよく、またネットワークカメラ２がメール機能サービスのメールサーバ又はデーモンとして動作させることもソフトウェアの実装により可能となる。
【００８６】
ネットワークカメラ２内部のメール制御部４２は、インターネットサービスプロバイダのメールサーバへメール取得の通信アクセスの結果、カメラ付携帯電話３にてネットワークカメラ２をメール宛先としてアドレス指定されたメールをメールサーバから取得できたか否かを判定すべく、ステップＳ４２に移行する。
【００８７】
メール制御部４２は、ステップＳ４２にて着信メールがなくメールの取得判定にてメールの取得が否と判定されると、約１５秒後に再度メールサーバにＰＯＰ（電子メール取得プロトコル）を使用して通信アクセスしメールの取得を行う（ステップＳ４１）。
【００８８】
そして、メール制御部４２は、ステップＳ４２にてメールの取得判定でメールの取得がありと判定されると、その取得したメールに画像を撮像するネットワークカメラを特定するＵＲＬであるＱＲコードが添付画像として添付されているか、またはメールの電文にそのＵＲＬがテキストとして記載されているかを識別し（ステップＳ４３）、添付画像又はＵＲＬコードか否か判定すべく、ステップＳ４４に移行する。
【００８９】
尚、識別は、取得メールがメールの添付データ形式（添付ファイル付き）であれば添付画像あり、電文からＵＲＬを記載したテキストを切出して例えばｈｔｔｐ：／／の文字列が認知できればＵＲＬを示すＵＲＬコードあり、と識別する。
【００９０】
メール制御部４２は、ステップＳ４４にて取得メールの電文からＵＲＬを示すＵＲＬコードの認知がされると、ＵＲＬ記憶部４２２に、その認知された画像を撮像するネットワークカメラを特定するＵＲＬコードを書込む（ステップＳ４５）。
【００９１】
メール制御部４２は、ステップＳ４４にて取得メールに画像を撮像するネットワークカメラを特定するＵＲＬであるＱＲコードが添付画像として添付されていると判定すると、ＱＲコード復元部４２１にてメール添付画像のＱＲコードを処理すべく、ステップＳ４７に移行する。
【００９２】
ＱＲコード復元部４２１は、ＱＲコードのデコード（復元）処理を行うＱＲコード処理アプリケーションソフトウェアとメモリで構成され、メールに添付された画像のＱＲコード（二次元バーコード）からＵＲＬコード復元するため画像をメモリ展開し、そのＱＲコードからネットワークカメラを特定するＵＲＬとなるＵＲＬコード（テキスト）を抽出・復元し（ステップＳ４７）、ＱＲコードからＵＲＬコードの復元処理が完了したか否か判定すべく、ステップＳ４８に移行する。
【００９３】
そして、ＱＲコード復元部４２１は、ステップＳ４８にてＱＲコードからＵＲＬコードの復元処理が完了していないと判定するとステップＳ４７に移行して処理を継続し、ステップＳ４８にてＵＲＬコードの復元処理が完了したと判定すると、復元処理にて復元されたＵＲＬコードをＵＲＬ記憶部４２２に書込み（ステップＳ４９）、ステップＳ４６に移行する。
【００９４】
ＵＲＬ記憶部４２２は、メール取得によるＵＲＬコードの書込データを記憶保存するとともに、その記憶保存されたＵＲＬコードに基づき他のネットワークカメラの撮像した画像を取得するため画像取得部４１内部のクライアント・サーバ制御部４１１にネットワークカメラを特定するＵＲＬコードを転送する（ステップＳ４６）。
【００９５】
クライアント・サーバ制御部４１１は、ＵＲＬ記憶部４２２からの画像取得の要求となるＵＲＬコードが転送されると、そのＵＲＬコードに基づき、通信インターフェイスを司るインターネット接続部４３、インターネット網との接続を司るＴＡ（ターミナルアダプタ）４４を制御し、インターネット１５を介してＵＲＬコードにより特定された他のネットワークカメラと接続し、そのネットワークカメラにて撮像された撮像画像の取得を開始し（ステップＳ５０）、撮像画像データの取得を判定すべく、ステップＳ５１に移行する。
【００９６】
クライアント・サーバ制御部４１１は、インターネットを介して他のネットワークが撮像した画像データの受信開始を判定し（ステップＳ５１）、画像データの受信ありと判定すると、その画像データをメモリ記憶すると伴に、ブラウズ制御部４１３にて取得画像の表示処理をすべく、ステップＳ５２に移行する。
【００９７】
そして、画像取得部４１内部のブラウズ制御部４１３は、インターネットを介して受信するＷｅｂデータのＨＴＭＬデータを可視画像イメージにメモリ展開したり、動画データのＭＰＥＧデータを可視画像イメージにメモリ展開するハードウェア、復号ソフトウェアを有し、クライアント・サーバ制御部４１１にてメモリ記憶された画像データを復号（例えばＭＰＥＧ）し、可視画像イメージデータとしてメモリ展開し（ステップＳ５２）、ＮＴＳＣ信号に変換すべく、ステップＳ５３に移行する。
【００９８】
ＮＴＳＣ信号変換処理部３８１は、カラー画像データのＲＧＢデータをＴＶ標準信号のＮＴＳＣ信号に変換するファームウェアを有し、クライアント・サーバ制御部４１１にて可視画像イメージデータとしてメモリ展開されたそのデータをリアルタイムにてＮＴＳＣ信号に変換し（ステップＳ５３）、テレビに表示すべく、ステップＳ５４に移行する。
【００９９】
表示出力制御部３８は、表示画面のサイズ変更ハードウェア（縦・横）及びインターフェイス用の接続コネクタを有し、ＮＴＳＣ信号変換処理部３８１にてＮＴＳＣ信号に変換された信号をテレビ１３に出力し（ステップＳ５４）、テレビ１３への信号出力を継続すべく、ステップＳ５１にもどる。
【０１００】
画像取得部４１内部のクライアント・サーバ制御部４１１は、ステップＳ５１にて、インターネットを介して他のネットワークが撮像した画像データの受信終了を判定すると、取得画像の表示処理を停止して、この画像取得処理を終了する。
【０１０１】
尚、図８においてネットワークカメラ２のインターネット経由の画像取得に関わる処理動作を説明したが、例えば所望する取得画像として図１に示す公共施設（公園）１１の監視カメラ５にて撮像され監視カメラ画像としてインターネット上に公開されたＷｅｂのアクセス先となるＵＲＬをカメラ付携帯電話３にて、そのＵＲＬをインターネットを介してネットワークカメラ２に電子メールにて送信することで、公共施設（公園）１１の監視カメラ５にて撮像された監視カメラ画像をテレビ１３にて見ることができる。
【０１０２】
第１の実施の形態によれば、ネットワークカメラ２が、インターネット１５を介して複数のネットワークカメラと接続し、各々のネットワークカメラに対応付けた選択情報であるＵＲＬコード又はＱＲコードを記憶し、この選択情報に基づき、他のネットワークカメラの撮像手段にて撮像した画像をインターネット１５を介して取得し、テレビ１３で取得画像を表示できるようにしたので、カメラ付携帯電話３のユーザは、撮像を所望するネットワークカメラ２を特定する選択情報を、テレビ１３と接続されたネットワークカメラ２にインターネット１５を介して送信するだけで、ネットワークカメラからの画像を取得し、テレビ１３で見ることができ、特定したネットワークカメラと一般家庭のテレビ、携帯電話等による安価な防犯システムを構成することができる。
【０１０３】
（実施の形態２）
第２の実施の形態のネットワークカメラ防犯システムは、ユーザがテレビでネットワークカメラの撮像した画像から不審者を見つけて通報すると、自動的に防犯システムに登録されたユーザのテレビ画面に通報メッセージと不審者の画像及びその画像を撮像したカメラ情報が表示されるものである。
【０１０４】
図９は第２の実施の形態を示すネットワークカメラ防犯システム１Ａを示す概念図である。
【０１０５】
図９に示すネットワークカメラ防犯システム１Ａは、Ｂ宅、Ｃ宅、Ｄ宅に第１の実施の形態で説明したネットワークカメラ２を使用し、Ａ宅にはこれから第２の実施の形態で説明するネットワークカメラ２０を使用して構成したものであり、不審者２２を撮像するネットワークカメラ２Ｄ、ネットワークカメラ２Ｂと接続されたテレビ１３Ｂ、ネットワークカメラ２Ｃと接続されたテレビ１３Ｃ、ネットワークカメラ２０Ａと接続されたテレビ１３Ａ、ユーザが携帯するカメラ付携帯電話３Ａ、ネットワークカメラ２Ｂ、２Ｃ、２Ｄ、２０Ａとはインターネット１５を介して各々が接続されている。
【０１０６】
尚、ネットワークカメラ２０Ａは、センサ情報（例えば不審者、火災、事故）と対応づけた入力インターフェイスを有し、ＳＷ９３が接続されている。
【０１０７】
図１０はネットワークカメラ防犯システム１Ａの警報メッセージに関わるテレビ画面イメージを示すイメージ図である。
【０１０８】
以下、図９と図１０を参照して、ネットワークカメラ防犯システム１Ａの概念について説明する。図９のネットワークカメラ防犯システム１Ａは、テレビ１３Ａを見ているユーザが、例えばネットワークカメラ２Ｄにて撮像された不審者２２をテレビ１３Ａの画面で発見すると、その不審者２２の発見を防犯システムに登録された複数のネットワークカメラに対して警報メッセージを送信するもので、不審者２２を発見したテレビ１３Ａのユーザは、その送信する警報メッセージ内容を示すセンサ情報（例えば不審者、火災、事故）の中から入力ＳＷ９３にて不審者を選択し、入力ＳＷ９３をＯＮにすると、ネットワークカメラ２０Ａは、選択された不審者の警報メッセージをインターネット１５を介してネットワークカメラ２Ｂと２Ｃに送信する。
【０１０９】
尚、警報メッセージは、入力ＳＷ９３の各ＳＷと対応付けたセンサ情報の中から選択された内容を示す文字データ（不審者、火災、事故）と、その警報メッセージの内容を撮像したネットワークカメラ２Ｄを特定するＵＲＬを有している。
【０１１０】
ネットワークカメラ２Ｂ、２Ｃは、ネットワークカメラ２０Ａにて送信された警報メッセージを受信すると、受信された警報メッセージに基づき、ＵＲＬで特定されたネットワークカメラ２Ｄから撮像画像を取得し、ネットワークカメラ２Ｂはテレビ１３Ｂに、ネットワークカメラ２Ｃはテレビ１３Ｃに取得画像と、選択されたセンサ情報を示す文字データとを表示する。また、後述する防犯ネットワーク登録を参照して、ネットワークカメラ設置場所を示すようなカメラ情報（例えばＤ宅）も表示してもよい。さらに、内容を示すデータとしては、音声データ、イラスト画像データを使用するようにしてもよい。
【０１１１】
ネットワークカメラ防犯システム１Ａにおいては、インターネットを介して各々のネットワークカメラを防犯システムの撮像カメラとしてシステムで共用するために、ユーザは防犯システムの利用をする前に、カメラ付携帯電話を用いて、防犯システムで使用するネットワークカメラに、防犯システムへの設定を登録する防犯ネットワーク登録と、警報メッセージとしてテレビに表示（例えば不審者）する文字データを登録するセンサ情報登録の２つの登録が必要である。防犯ネットワーク登録の登録方法には、カメラ付携帯電話にてＱＲコードを生成するアプリを用い、入力した設定データからＱＲコードを生成し、ＱＲコードで登録する方法と、設定データをテキストで入力して登録する方法がある。また、センサ情報登録方法は、カメラ付携帯電話にてセンサ情報を示す入力ＳＷに対応する文字データを入力し、入力したデータからＱＲコードを生成し、ＱＲコードで登録するものである。
【０１１２】
尚、ユーザの登録作業によるこれらの登録を、あらかじめ、ネットワークカメラの登録データを記憶するメモリに書込むことにより登録作業を無くすこともできる。
【０１１３】
図１１はカメラ付携帯電話の防犯ネットワーク登録に関わる登録ＱＲコード送信イメージを示すイメージ図である。
【０１１４】
防犯ネットワーク登録は、ネットワークカメラを防犯システムとして使用するための登録で、登録をすると他のネットワークカメラに警報メッセージを送信したり、また、警報メッセージを受信し、受信した警報メッセージに基づき、ＵＲＬにて特定されたネットワークカメラから画像を取得してテレビに表示できる。
【０１１５】
以下、図１１と図９を参照して、ＱＲコードを利用した防犯ネットワーク登録の方法について説明する。図１１に示す防犯ネットワーク登録の登録ＱＲコード送信イメージは、カメラ付携帯電話３Ａを使用して、ネットワークカメラ２０Ａをネットワークカメラ防犯システム１Ａで使用するための防犯登録ＱＲ送信画面のイメージを示している。メール宛先として、ネットワークカメラ２０Ａを特定する２０Ａメールアドレス、例えば２０ａ＠ａｂｃ．ｄｅ．ｆｇを示し、添付画像として、ネットワークカメラ防犯システム１Ａで使用する各々のネットワークカメラを特定するＵＲＬアドレスと、そのネットワークカメラの各々のメールアドレスと、ＵＲＬアドレスで特定した各々のネットワークカメラを具体的に表した名称（例えばＡ宅、Ｂ宅、Ｃ宅）となるテキストデータを、カメラ付携帯電話３ＡのＱＲコード符号化アプリにて符号化された各々のネットワークカメラに対応した２Ｂ、２Ｃ、２Ｄの登録ＱＲコードを示している。
【０１１６】
カメラ付携帯電話３Ａは、メール機能にてメールアドレスで特定されたネットワークカメラ２０Ａに、防犯ネットワーク登録情報となる登録ＱＲコードをインターネット１５を介して電子メールにて送信し、ネットワークカメラ２０Ａは、電子メールを受信し、登録ＱＲコードに基づき、防犯ネットワーク登録を行う。
【０１１７】
図１２はカメラ付携帯電話のＱＲコードを使用しない防犯ネットワーク登録に関わる登録コード送信イメージを示すイメージ図である。
【０１１８】
以下、図１２と図９を参照して、ＵＲＬコードによる防犯ネットワーク登録の方法について説明する。図１２に示す防犯ネットワーク登録の登録コード送信イメージは、カメラ付携帯電話３Ａを使用して、ネットワークカメラ２０Ａをネットワークカメラ防犯システム１Ａで使用するための防犯登録送信画面のイメージを示している。図１１で示した登録ＱＲコード送信イメージとの違いは、ネットワークカメラ防犯システム１Ａで使用する各々のネットワークカメラ２Ｂ、２Ｃ、２Ｄの登録をメールの電文としてテキストで記載したもので、登録コードの記載は、例えばネットワークカメラ２Ｂでは、ｈｔｐｐ：／／ｗｗｗ．２ｂ（改行コード）、２ｂ＠ａｂｃ．ｄｅ．ｆｇ（改行コード）、Ｂ宅（改行コード）のようにテキストで記載した点である。
【０１１９】
尚、ネットワークカメラ２Ｂ、２Ｃ及び２Ｄの登録コードは、図１２に示すようにＵＲＬアドレス、メールアドレス、ネットワークカメラを具体的に表した名称が異なるものである。以上のように登録した内容は、図１６に示すように関連付けてネットワークカメラに記憶される。
【０１２０】
図１６に示す接続情報メモリのテーブル内容は、カメラ付携帯電話による防犯ネットワーク登録後の接続情報メモリのメモリテーブル内容を示し、ネットワークカメラを特定するＵＲＬを具体的に表した防犯登録名称（例えばＡ宅、Ｂ宅、Ｃ宅）とネットワークカメラを特定するＵＲＬアドレス、メールアドレス、とをそれぞれ対応づけて記憶している。
【０１２１】
以上のように記憶された内容を参照することにより、ＵＲＬアドレスに基づき、他のネットワークカメラからインターネットを介して撮像画像の取得をしたり、防犯登録名称（例えばＡ宅、Ｂ宅、Ｃ宅）をテレビに表示するものである。
【０１２２】
図１３はカメラ付携帯電話のセンサ情報登録に関わるセンサ情報登録送信イメージを示すイメージ図である。
【０１２３】
センサ情報登録は、カメラ付携帯電話を使用し、ネットワークカメラに接続されたユーザが操作する入力ＳＷに、各々の入力ＳＷの接点（ＯＮ）に対応したセンサ情報（文字コード）を登録するものである。
【０１２４】
以下、図１３と図９を参照して、センサ情報登録について説明する。図１３に示すセンサ情報登録送信イメージは、カメラ付携帯電話３Ａを使用して、ネットワークカメラ２０Ａに接続された入力ＳＷ９３に対応したセンサ情報（不審者、火災、事故）を示す文字データを、ネットワークカメラ２０Ａに登録するセンサ情報登録画面を示している。メール宛先として、ネットワークカメラ２０Ａを特定する２０Ａメールアドレス、例えば２０ａ＠ａｂｃ．ｄｅ．ｆｇを示し、添付画像として、登録するセンサ情報を示す文字データをＱＲコードとしたセンサ情報登録ＱＲコードを示している。センサ情報登録ＱＲコードの作成は、カメラ付携帯電話３ＡのＱＲコード符号化アプリを使用し、例えば入力ＳＷ９３の接点番号１と、接点番号１と対応づける入力文字データ（不審者）をテキストとした入力データを、カメラ付携帯電話３ＡのＱＲコード符号化アプリでテキストからＱＲコードを生成したものを画像として添付したものである。カメラ付携帯電話３Ａは、このセンサ情報登録ＱＲコードをインターネット１５を介してネットワークカメラ２０Ａへメールにて送信し、ネットワークカメラ２０Ａは、メールを受信し、受信したセンサ情報登録ＱＲコードに基づき、入力ＳＷ９３のセンサ情報として登録を行う。
【０１２５】
尚、センサ情報登録として、カメラ付携帯電話３を使用して登録をおこなったが、ネットワークカメラ２のセンサ登録情報を記憶するメモリに、あらかじめセンサ情報を登録記憶するようにしてもよい。
【０１２６】
図１５はネットワークカメラのセンサ情報記憶に関わるセンサ情報メモリのテーブル内容を示す説明図である。
【０１２７】
図１５に示すセンサ情報メモリのテーブル内容は、カメラ付携帯電話３Ａによるセンサ情報登録後のセンサ情報メモリのメモリテーブルを示し、入力ＳＷ９３の接点番号（例えば１〜３）と対応したセンサ情報内容１−不審者、２−火災、３−事故、とを対応づけて記憶している。
【０１２８】
以上のように記憶された内容を参照することにより、入力ＳＷ９３の各ＳＷと対応付けたセンサ情報の内容を示す文字データ（不審者、火災、事故）を、他のネットワークカメラに警報メッセージとして送信することにより、他のネットワークカメラはセンサ情報内容（例えば不審者、火災、事故）をテレビに表示できる。
【０１２９】
図１４はネットワークカメラ防犯システム１ＡのＡ宅に使用するネットワークカメラ２０の内部、及びカメラ付携帯電話３の構成を示すブロック図である。
【０１３０】
尚、第１の実施の形態を示すネットワークカメラ防犯システム１と同一のものには同一符号を付すことで、その重複する構成及び動作の説明については省略する。
【０１３１】
図１４に示すネットワークカメラ２０は、カメラ機構部３３、画像処理部４９、画像符号化処理部３４、ＴＡ（ターミナルアダプタ）４４、インターネット接続部４３、ＱＲコード復元部４２１とＵＲＬ記憶部４２２を有するメール制御部４２、クライアント・サーバ制御部４１１とインターネット制御部４１２とブラウズ制御部４１３を有する画像取得部４１、ＮＴＳＣ信号変換部３８１を有する表示出力制御部３８、ユーザ操作によってＯＮする入力ＳＷ９３からのＯＮ信号を検知する外部入力制御部９４、入力ＳＷ９３と対応した入力ＳＷの意味付け情報の登録と記憶をするセンサ情報記憶制御部９２、防犯ネットワークとして使用するための登録管理をする各々のメモリを有する接続情報管理部９１、ネットワークカメラ２０全体を制御するシステム制御部３２、中央演算処理ユニットのＣＰＵ３１、とで構成されている。
【０１３２】
入力ＳＷ９３は、ネットワークカメラ２０の外部入力制御部９４に接続され、各々のセンサ情報（不審者、火災、事故）と一対のスイッチ（接点）を有し、ユーザによってスイッチ（接点）がＯＮされるものである。
【０１３３】
外部入力制御部９４は、テレビ１３の画面で不審者又は火災、事故をユーザが発見し、センサ情報（不審者、火災、事故）が示す内容に対応した入力ＳＷ９３が、ユーザにてＯＮされると、入力ＳＷ９３のＯＮを検知し、ＯＮとなった入力ＳＷ９３のスイッチの接点番号を、センサ情報としてセンサ情報記憶制御部９２に通知するものである。
【０１３４】
センサ情報記憶制御部９２は、入力ＳＷ９３の接点番号（例えば１〜３）と対応したセンサ情報内容（例えば１−不審者、２−火災、３−事故）を示す文字データを記憶したセンサ情報メモリ９２１を有し、外部入力制御部９４から入力ＳＷ９３のＯＮによるセンサ情報の通知を受け取ると、そのセンサ情報（接点番号）に基づき、センサ情報メモリ９２１からセンサ情報に対応した文字データを読出し、読出した文字データを、インターネット制御部４１２に転送するものである。
【０１３５】
尚、センサ情報記憶制御部９２内部のセンサ情報メモリ９２１へのセンサ情報（不審者、火災、事故）を示す文字データのデータ書込は、カメラ付携帯電話３にてセンサ情報登録によってあらかじめ書込まれている。
【０１３６】
接続情報管理部９１は、防犯ネットワークに登録された各々のネットワークカメラを特定するＵＲＬアドレスと、メールアドレス、そのＵＲＬを具体的に表した防犯登録名称（例えばＡ宅、Ｂ宅、Ｃ宅）を記憶した接続情報メモリ９１１を有し、インターネット制御部４１２からの接続情報リクエスト要求に対して、防犯ネットワークに登録されたネットワークカメラのＵＲＬアドレス、メールアドレス、防犯登録名称、とを返送する。
【０１３７】
尚、接続情報管理部９１内部の接続情報メモリ９１１への接続情報となるネットワークカメラを特定するＵＲＬアドレス、メールアドレス、防犯登録名称（例えばＡ宅、Ｂ宅、Ｃ宅）を示す接続情報のデータ書込は、カメラ付携帯電話３にて防犯ネットワーク登録によってあらかじめ書込まれている。
【０１３８】
以下、図９と図１４を参照して、ネットワークカメラ防犯システム１Ａの動作について説明する。図９に示すテレビ１３Ａの画面で不審者又は火災、事故をユーザが発見し、ユーザはその事態を示す警報メッセージを、防犯システム１Ａを利用している登録ユーザに通報するため、ネットワークカメラ２０と接続されたセンサ情報（不審者、火災、事故）が示す内容と対応した入力ＳＷ９３のスイッチ接点をユーザがＯＮにすると、外部入力制御部９４は、入力ＳＷ９３のＯＮを検知し、検知した入力ＳＷ９３のＯＮとなったスイッチの接点番号（例えば１）をセンサ情報記憶制御部９２に通知する。
【０１３９】
センサ情報記憶制御部９２は、外部入力制御部９４にて通知された接点番号に基づき、センサ情報記憶制御部９２内部のセンサ情報メモリ９２１に接点番号（例えば番号１〜３）と対応づけて記憶したセンサ情報の内容を示すデータ、例えば不審者の文字データをメモリから読出し、その読出したセンサ情報の文字データをインターネット制御部４１２に転送する。
【０１４０】
インターネット制御部４１２は、センサ情報記憶制御部９２からのセンサ情報（例えば不審者の文字データ）の転送を受け取ると、ネットワークカメラ防犯システム１Ａに、防犯システム登録されたネットワークカメラ２Ｂ、２Ｃ、２Ｄに対して、不審者の警報メッセージを通知すべく動作を開始する。
【０１４１】
インターネット制御部４１２は、接続情報管理部９１内部の接続情報メモリ９１１から防犯システムに登録されたネットワークカメラを特定するメールアドレスと、ネットワークカメラを特定するＵＲＬを具体的に表した防犯登録名称（例えばＡ宅、Ｂ宅、Ｃ宅）を示すネットワークカメラ接続に関する情報の接続情報を読出し、その読出した接続情報と、センサ情報記憶制御部９２にて転送されたセンサ情報（例えば不審者の文字データ）と、さらに、テレビ１３Ａの画面で例えば不審者を撮像したネットワークカメラを特定するＵＲＬアドレスを、クライアント・サーバ制御部４１１から取得し、それら、接続情報と、センサ情報と、ＵＲＬアドレスを、包含した警報メッセージとなる警報メッセージデータをメールの送信データとして、あらかじめ、防犯システム登録されたネットワークカメラ２に対して、インターネット接続部４３、ＴＡ４４、インターネット１５を介して電子メールにて警報メッセージをメールデータとして送信する。
【０１４２】
ネットワークカメラ２０のメール制御部４２は、他のネットワークカメラが電子メールにて送信した警報メッセージをインターネット１５を介して受信すると、受信した警報メッセージのデータを画像取得部４１に転送する。
【０１４３】
画像取得部４１は、メール制御部４２にて転送された警報メッセージデータ（センサ情報、ＵＲＬアドレス、接続情報）に基づき、ＵＲＬアドレスから不審者を撮像したネットワークカメラを特定し、撮像画像をインターネット１５を介して画像を取得するとともに、センサ情報（例えば不審者）の文字データと、防犯登録名称（例えばＡ宅、Ｂ宅、Ｃ宅、Ｄ宅等）を示す文字データを、ブラウズ制御部４１３にて画像と、その文字データ（不審者とＤ宅）合成して表示出力制御部３８に送り、表示出力制御部３８は、ＮＴＳＣ信号変換部３８１にてＴＶ信号に変換して出力し、ネットワークカメラ２Ｂはテレビ１３Ｂに、ネットワークカメラ２Ｃはテレビ１３Ｃに、各々の画面のように表示する。
【０１４４】
尚、動作を端的に説明するために、不審者２２を撮像したネットワークカメラ２Ｄにはテレビ１３を接続していないが、他と同様にテレビを接続すればテレビ１３Ｂ、テレビ１３Ｃと同様の画面を表示する。
【０１４５】
図９において、Ｂ宅、Ｃ宅、Ｄ宅のネットワークカメラ２Ｂ、２Ｃ、２Ｄは、実施の形態１のネットワークカメラ２を用いて構成したが、Ａ宅と同様のネットワークカメラ２０を用いて防犯システムを構成してもよい。
【０１４６】
次に、上述したネットワークカメラ防犯システム１Ａの動作について、動作フローを用いてさらに詳しく説明する。
【０１４７】
図１７はネットワークカメラ２０に接続された入力ＳＷオンに関わる警報メッセージメール送信処理動作を示すフロー図である。
【０１４８】
図１９はネットワークカメラ２０の警報メッセージメール送信の電文を端的に表した図である。
【０１４９】
図１９に示す警報メッセージメール電文は、入力ＳＷオンのとき、ネットワークカメラ２０からインターネットを介して送信されるメール電文の内容を端的に表現したもので、例えばメッセージタイプとして警報、センサ情報内容として不審者、防犯登録名称としてＢ宅、画像撮像カメラＵＲＬとしてｈｔｔｐ：／／ｗｗｗ．２ｂ／、とを示している。
【０１５０】
以下、図１７と図１９を参照して、ネットワークカメラ２０に接続された入力ＳＷ９３がオンしたときの警報メッセージメール送信処理動作について説明する。外部入力制御部９４は、接続された入力ＳＷ９３のスイッチのオンを検知する（ステップＳ７１）。入力ＳＷ９３のスイッチのオンを検知すると入力ＳＷ９３のオンとなった接点番号をセンサ情報記憶制御部９２へ送る（ステップＳ７２）。
【０１５１】
センサ情報記憶制御部９２は、ステップＳ７２にて送られた入力ＳＷ９３のオンとなった接点番号に基づき、センサ情報メモリ９２１に記憶された入力ＳＷの接点番号に対応付けられたセンサ情報内容（例えば１−不審者の文字データ）を読出し、読出した文字データ（不審者）をインターネット制御部４１２へ送る（ステップＳ７３）。
【０１５２】
インターネット制御部４１２は、ステップＳ７３にて送られた文字データ（不審者）の受け取る（ステップＳ７４）。文字データ（不審者）を受け取ると警報メッセージの通知動作を開始すべくステップＳ７５に移行する。
【０１５３】
インターネット制御部４１２は、警報メッセージの通知動作を開始し、接続情報管理部９１の接続情報メモリ９１１に記憶された接続情報を読出す（ステップＳ７５）。
【０１５４】
尚、接続情報メモリ９１１には接続情報として、防犯システム登録内容の防犯登録名称（例えばＢ宅）、ネットワークカメラを特定するＵＲＬアドレス、メールアドレス、とが記憶されている。
【０１５５】
インターネット制御部４１２は、ステップＳ７５にて接続情報を読出した後、クライアント・サーバ制御部４１１から現在テレビ１３にて表示の画像を撮像しているネットワークカメラのＵＲＬアドレスを読出す（ステップＳ７６）。
【０１５６】
インターネット制御部４１２は、ステップＳ７４にてセンサ情報記憶制御部９２から受け取った文字データと、ステップＳ７５において接続情報メモリ９１１から読出した接続情報の防犯登録名称（例えばＢ宅）と、ステップＳ７６にてクライアント・サーバ制御部４１１から読出した画像を撮像しているネットワークカメラのＵＲＬアドレス、とに基づき警報メッセージメール電文を作成する（ステップＳ７７）。
【０１５７】
尚、図１９に警報メッセージメール電文を示す。
【０１５８】
インターネット制御部４１２は、ステップＳ７７にて警報メッセージメール送信の電文の作成を終了すると、ステップＳ７５にて読出した接続情報に基づき、防犯システム登録されたメールアドレスにて特定されるネットワークカメラに対して、インターネット接続部４３、ＴＡ４４、インターネット１５を介して、警報メッセージ電文をメールにて送信する（ステップＳ７８）。
【０１５９】
インターネット制御部４１２は、接続情報に基づき、防犯システム登録された全てのメールアドレスに対して、警報メッセージ電文のメール送信が完了していなければステップＳ７７に移行する。全てのメールアドレスへ警報メッセージ電文のメールでの送信が完了すると警報メッセージメール送信処理動作を終了する（ステップＳ７９）。
【０１６０】
次に、送信された警報メッセージメール電文をインターネット１５を介して受信したネットワークカメラ２０の警報メッセージメール受信処理について動作フローを用いて詳しく説明する。
【０１６１】
図１８はネットワークカメラに接続された入力ＳＷオンに関わる警報メッセージメール受信処理動作を示すフロー図である。
【０１６２】
メール制御部４２は、インターネット接続部４３、ＴＡ４４、インターネット１５を介して警報メッセージメール電文のメールの受信を待つ（ステップＳ８１）。メールを受信するとステップＳ８２に移行する。
【０１６３】
メール制御部４２は、ステップＳ８１にて受信した警報メッセージメール電文を画像取得部４１に送る（ステップＳ８２）。
【０１６４】
画像取得部４１は、警報メッセージメール電文を受取り、警報メッセージメール電文からセンサ情報内容の不審者、防犯登録名称のＢ宅、画像撮像カメラＵＲＬのｈｔｔｐ：／／ｗｗｗ．２ｂ／、とをテキスト文字として取出す（ステップＳ８３）。
【０１６５】
尚、図１９に警報メッセージメール電文を示す。
【０１６６】
画像取得部４１は、クライアント・サーバ制御部４１１へ画像取得先を特定する画像撮像カメラＵＲＬであるｈｔｔｐ：／／ｗｗｗ．２ｂ／を送る。クライアント・サーバ制御部４１１は画像撮像カメラＵＲＬに基づきインターネット１５を介して特定したネットワークカメラから撮像画像を取得し、取得した画像をブラウズ制御部４１３に送る（ステップＳ８４）。
【０１６７】
ブラウズ制御部４１３は、クライアント・サーバ制御部４１１から送られた撮像画像と、ステップＳ８３にて警報メッセージメール電文から取出したセンサ情報内容の不審者を示す文字（不審者）と、防犯登録名称のＢ宅を示す文字（Ｂ宅）を合成した画像を表示出力制御部３８へ送る（ステップＳ８５）。
【０１６８】
表示出力制御部３８は、画像をＮＴＳＣ信号変換部３８１にて信号処理し、ＮＴＳＣ信号をテレビ１３へ出力する（ステップＳ８６）。表示出力制御部３８はブラウズ制御部４１３からの画像が終了するとＮＴＳＣ信号変換部３８１の信号処理を停止して、警報メッセージメール受信処理を終了する。
【０１６９】
尚、請求項記載の、防犯監視ＵＲＬ記憶手段は接続情報管理部９１、センサ情報記憶手段はセンサ情報記憶制御部９２、入力手段は入力ＳＷ９３と外部入力制御部９４、センサ情報送信手段はインターネット制御部４１２、に相当するものである。
【０１７０】
第２の実施の形態によれば、ユーザがテレビでネットワークカメラの撮像した画像から不審者を見つけて警報のスイッチをＯＮすると、ネットワークカメラ２は自動的に、防犯システムに登録された他のネットワークカメラ対して、警報を示す警報メッセージをインターネット１５を介して電子メールにて送信し、その警報メッセージを受信したネットワークカメラは、受信した警報メッセージに基づき、警報の画像を撮像したネットワークカメラ２からインターネットを介して画像を取得するとともに、警報の内容を示す不審者と、警報画像を撮像したカメラ情報（例えばＤ宅）をテレビ１３に表示出力するようにしたので、ネットワークカメラ２と一般のテレビ、携帯電話等で、操作が簡単で手間のかからない、防犯効果を高めた、地域で連携した防犯システムによる安価なシステム構成を提供を構成することができる。
【０１７１】
（実施の形態３）
第３の実施の形態のネットワークカメラ防犯システムは、ユーザがテレビでネットワークカメラの撮像した画像から不審者を見つけて通報すると、警報を受信したネットワークカメラが、登録されているユーザが所持するカメラ付携帯電話に、その警報と不審者の画像を撮像したネットワークカメラのＵＲＬを自動的に送信し、カメラ付携帯電話にて受信して表示するものである。
【０１７２】
図２０は第３の実施の形態を示すネットワークカメラ防犯システムに使用するネットワークカメラ２０１内部、及びカメラ付携帯電話３の構成を示すブロック図である。
【０１７３】
尚、第１の実施の形態及び、第２の実施の形態におけるネットワークカメラ２及び、２０と同一のものには同一符号を付すことで、その重複する構成及び動作の説明については省略する。
【０１７４】
図２０に示すネットワークカメラ２０１は、カメラ機構部３３、画像処理部４９、画像符号化処理部３４、ＴＡ（ターミナルアダプタ）４４、インターネット接続部４３、ＱＲコード復元部４２１とＵＲＬ記憶部４２２を有するメール制御部４２、クライアント・サーバ制御部４１１とインターネット制御部４１２とブラウズ制御部４１３を有する画像取得部４１、ＮＴＳＣ信号変換部３８１を有する表示出力制御部３８、ユーザ操作によってＯＮする入力ＳＷ９３からのＯＮ信号を検知する外部入力制御部９４、入力ＳＷ９３と対応した入力ＳＷの意味付け情報の登録と記憶をするセンサ情報記憶制御部９２、防犯ネットワークとして使用するための登録管理をする各々のメモリを有する接続情報管理部９１、カメラ付携帯電話のメールアドレスの登録と記憶をするユーザ端末管理部８１、カメラ付携帯電話への電子メールの送信とメール電文を作成するユーザ端末転送部８２、ネットワークカメラ２０全体を制御するシステム制御部３２、中央演算処理ユニットのＣＰＵ３１、とで構成されている。
【０１７５】
尚、ユーザ端末管理部８１で使用するカメラ付携帯電話のメールアドレスは、予めカメラ付携帯電話を用いてユーザ端末管理部８１のメールアドレス記憶メモリに登録されているものとする。
【０１７６】
図２１はネットワークカメラのカメラ付携帯電話に関わるメールアドレス記憶メモリのテーブル内容を示す説明図である。
【０１７７】
ユーザ端末管理部８１のメールアドレス記憶メモリは、他のネットワークカメラから送信された警報（例えば不審者文字とＵＲＬを含む）メッセージをネットワークカメラ２０１が受信し、その受信した警報メッセージをカメラ付携帯電話３にメール送信するメールアドレスを記憶している。
【０１７８】
図２１に示すメールアドレス記憶メモリのテーブルは、登録携帯電話領域とメールアドレス領域があり、各々はそれぞれ対応しており、登録携帯電話１はメールアドレスｔｅｌ１＠ａｂｃ．ｄｅ．ｆｇ、登録携帯電話２はメールアドレスｔｅｌ２＠ａｂｃ．ｄｅ．ｆｇ、登録携帯電話３はメールアドレスｔｅｌ３＠ａｂｃ．ｄｅ．ｆｇを示している。
【０１７９】
以上のように記憶された内容を参照することにより、ネットワークカメラはメール送信できる。
【０１８０】
図２２はネットワークカメラのカメラ付携帯電話への警報メッセージメール送信の送信処理動作を示すフロー図である。
【０１８１】
送信処理動作は、ネットワークカメラ２０１が警報メッセージを受信して、警報メッセージをカメラ付携帯電話３に電子メールにてメール送信する送信処理動作を示したものである。
【０１８２】
以下、図２０と図２１を参照して、警報メッセージメール送信の送信処理動作について説明する。ネットワークカメラ２０１のメール制御部４２は、他のネットワークカメラにて送信された警報メッセージのメール受信を待つ（ステップＳ９１）。
【０１８３】
メール制御部４２は、ステップＳ９１にて、他のネットワークカメラからの警報メッセージのメールを受信すると、ユーザ端末転送部８２へメール受信ありを通知して、ステップＳ９２に移行する。
【０１８４】
ユーザ端末転送部８２は、ユーザ端末管理部８１内部のメールアドレス記憶メモリから、登録携帯電話１から３までのメールアドレスを読出す（ステップＳ９２）。
【０１８５】
ユーザ端末転送部８２は、ステップＳ９２にて読出したメールアドレスを宛先としたメールを作成し、電文内容作成には、メール制御部４２にてメール受信した電文からＵＲＬとセンサ情報を読出し、カメラ付携帯電話３への送信メールを作成する（ステップＳ９３）。送信メールの作成が終了するとステップＳ９４に移行する。
【０１８６】
尚、メールアドレス宛先は、例えばｔｅｌ１＠ａｂｃ．ｄｅ．ｆｇ：ｔｅｌ２＠ａｂｃ．ｄｅ．ｆｇ：ｔｅｌ３＠ａｂｃ．ｄｅ．ｆｇの複数宛先となり、送信電文はＵＲＬとセンサ情報（例えば不審者の文字）である。
【０１８７】
ユーザ端末転送部８２は、インターネット接続部４３、ＴＡ４４を制御して、インターネット１５を介してメールアドレス宛先にて特定される複数のカメラ付携帯電話３に対して、警報メッセージメールを電子メールにてメール送信する（ステップＳ９４）。送信すると警報メッセージメール送信処理動作を終了する。
【０１８８】
尚、請求項記載の、ユーザ端末記憶手段はユーザ端末管理部８１、転送手段はユーザ端末転送部８２、に相当するものである。
【０１８９】
第３の実施の形態によれば、ユーザがテレビでネットワークカメラの撮像した画像から不審者を見つけて警報のスイッチをＯＮすると、そのネットワークカメラが、防犯システムに登録された他のネットワークカメラ対して、警報を示す警報メッセージをインターネット１５を介して電子メールにて送信し、その警報メッセージを受信したネットワークカメラ２０１は、予め登録されたカメラ付携帯電話３のメールアドレスに基づき、メールアドレスにて特定されるカメラ付携帯電話３に対して、警報メッセージを作成し、インターネットを介して、警報メッセージを電子メールにてメール送信するようにしたので、外出していても、カメラ付携帯電話３で、そのメールを受信して警報の内容を表示することにより、不審者を示す警報文字と、不審者を撮像したネットワークカメラのＵＲＬがわかるので自宅に戻るか、近隣者に連絡するなどして空き巣などの防犯ができる。
【０１９０】
従って、ネットワークカメラ２０１とユーザが所持する携帯電話等だけで、防災ネットワークの情報を受けることができるので、防犯効果を高めた、地域で連携した防犯システムによる安価なシステム構成を提供を構成することができる。
【０１９１】
さらに、ネットワークカメラ２０１に、例えばＭＰＥＧ−４等の画像圧縮の機能を有するようにし、メール受信にて表示されたＵＲＬへ携帯電話等からＵＲＬを指定してアクセスし、動画像を表示するようにすればさらに防犯効果を高めることができる。
【０１９２】
（実施の形態４）
第４の実施の形態のネットワークカメラ防犯システムは、ユーザがテレビでネットワークカメラの撮像した画像から不審者を見つけて通報すると、不審者を撮像したネットワークカメラが、防犯システムに登録されたユーザのテレビ画面に通報メッセージと不審者の画像及びその画像を撮像したカメラ情報を画像配信するものである。
【０１９３】
図２３は第４の実施の形態を示すネットワークカメラ防犯システムに使用するネットワークカメラ２０２内部、及びカメラ付携帯電話３の構成を示すブロック図である。
【０１９４】
尚、第１の実施の形態、第２の実施の形態及び、第３の実施の形態におけるネットワークカメラ２、２０および２０１と同一のものには同一符号を付すことで、その重複する構成及び動作の説明については省略する。
【０１９５】
図２３に示すネットワークカメラ２０２は、カメラ機構部３３にて撮像した撮像画像と受信したセンサ情報を合成し、インターネットを介してその画像をネットワークカメラに配信する画像配信制御部８３と、インターネットを介して他のネットワークカメラと画像配信のための通信をする配信情報送受信部９６と、画像を配信するための配信情報を記憶・制御する配信情報記憶制御部９５と、を有している。
【０１９６】
尚、配信情報記憶制御部９５は、入力ＳＷの番号と、センサ情報内容と、画像の配信先を示す配信先ＵＲＬと、を対応づけて記憶する配信情報メモリ９５１を有している。
【０１９７】
図２４はネットワークカメラの配信情報記憶に関わる配信情報メモリのテーブル内容を示す説明図である。
【０１９８】
配信先ＵＲＬは、入力ＳＷとセンサ情報内容と対応づけて記憶され、予めＵＲＬを登録することにより、入力ＳＷがＯＮするとその配信先のＵＲＬが参照され、例えば不審者が発見されたとき、配信先ＵＲＬに基づき、ｈｔｔｐ：／／ｗｗｗ．２ｂ／のネットワークカメラだけに不審者の撮像画像が配信される。
【０１９９】
尚、配信情報メモリ９５１へのセンサ情報（不審者、火災、事故）、配信先ＵＲＬ（ｈｔｔｐ：／／ｗｗｗ．２ｂ／）を示す文字データのデータ書込は、カメラ付携帯電話３にてセンサ情報登録によってあらかじめ書込まれている。
【０２００】
図２５はネットワークカメラのＨＴＴＰ通信に関わるクライアントからサーバに送信する配信先のデータ内容を示すテキスト図である。
【０２０１】
ＨＴＴＰ（Ｈｙｐｅｒ  Ｔｅｘｔ  Ｔｒａｎｓｆｅｒ  Ｐｒｏｔｏｃｏｌ）は、ＨＴＭＬなどのテキストファイル、画像、複合ファイルなどのリソースを効率的に送受信する通信のプロトコルで、インターネットを利用したＷｅｂ閲覧はＨＴＴＰにより通信が行われている。このＷｅｂ閲覧は、ＨＴＴＰメソッド（命令）の１つであるＧＥＴリクエストで閲覧したいＵＲＬを送り、閲覧画像を取得してパソコン等で表示している。
【０２０２】
本発明は、ＨＴＴＰメソッド（命令）の１つであるＰＯＳＴを使用した。ＰＯＳＴはデータをサーバに転送したり、データをクライアントに転送したりするためのリクエストであり、クライアントからサーバへの方向性の制約を受けるＧＥＴとはこの点が相違する。
【０２０３】
図２５はクライアントからサーバに送信するＰＯＳＴリクエスト・データ内容を端的にテキスト記述したもので、ｔｅｘｔ＝不審者と配信先ＵＲＬのＵＲＬ＝ｗｗｗ．２ｂ／が記述されている。これらは後述する図２６の通信プロトコル示すシーケンス図において、ＨＴＴＰメッセージとして使用されるものである。
【０２０４】
また、ＨＴＴＰメソッド（命令）のＰＯＳＴ以外の方法として、ＣＧＩ（Ｃｏｍｍｏｎ  Ｇａｔｅｗａｙ  Ｉｎｔｅｒｆａｃｅ）を用い、ＨＴＴＰサーバに対してクライアントから要求事項等を記述したＣＧＩプログラムを送信して、ＨＴＴＰサーバが要求事項を処理し、クライアントに返送するＣＧＩを用いても本発明と同様の機能を実現できる。
【０２０５】
図２６はネットワークカメラの画像配信に関わる表示画像及び通信プロトコルを端的に示すシーケンス図である。
【０２０６】
以下、図２４と図２５と図２６を参照して、表示画像及び通信プロトコルのシーケンスについて説明する。
【０２０７】
テレビ画面１３Ａ、１３Ｂ、１３Ｃは、図２４で入力ＳＷに対応した配信先ＵＲＬが配信情報メモリに登録されたとき、ネットワークカメラＤにより画像配信された画面を示している。
【０２０８】
センサ信号として入力ＳＷ９３の接点番号１、不審者がＯＮすると、図２４の配信先ＵＲＬが参照され、図２５で示す画像配信先を示すＵＲＬ＝ｗｗｗ．２ｂ／が不審者のｔｅｘｔデータと伴にＨＴＴＰメッセージとしてネットワークカメラＤに送信（リクエスト）される。ＨＴＴＰメッセージを受信したネットワークカメラＤは配信先ＵＲＬで特定されたネットワークカメラＢだけに画像を配信する。従ってネットワークカメラＣに接続されたテレビ１３Ｃには画像の配信が行われない。
【０２０９】
尚、図２４に示す配信先ＵＲＬが入力されていない場合は、防犯ネットワークを構成する全てのネットワークカメラに画像の配信を行う。
【０２１０】
図２７はネットワークカメラの画像配信に関わる画像配信通知処理を示すフロー図である。
【０２１１】
画像配信通知処理は、入力ＳＷ９３（不審者）がＯＮとなったネットワークカメラが、その不審者の画像を撮像したネットワークカメラに対して、センサ情報と配信先ＵＲＬをＨＴＴＰメッセージ（リクエスト）として送信するための処理である。
【０２１２】
以下、図２３、図２４と図２７を参照して、ネットワークカメラ２０２に接続された入力ＳＷ９３がＯＮとなったネットワークカメラ２０２の画像配信通知処理の動作について説明する。
【０２１３】
図２７において、外部入力制御部９４は、入力ＳＷ９３のＯＮを待つ（ステップＳ１０１）。入力ＳＷ９３がＯＮするとステップＳ１０２へ移行する。
【０２１４】
外部入力制御部９４は、入力ＳＷ９３の接点番号を配信情報記憶制御部９５に送る（ステップＳ１０２）。
【０２１５】
配信情報送受信部９６は、配信情報記憶制御部９５、内部の配信情報メモリ９５１のデータを読出す（ステップＳ１０３）。
【０２１６】
配信情報送受信部９６は、ステップＳ１０３にて読出したデータに基づき、センサ情報内容と、配信先ＵＲＬの指定があれば、配信先ＵＲＬを含む、ＨＴＴＰメッセージを作成する（ステップＳ１０４）。
【０２１７】
配信情報送受信部９６は、作成したＨＴＴＰメッセージをインターネット接続部４３を経由し、インターネットを介して画像を撮像したネットワークカメラに対して送信する（ステップＳ１０５）。
【０２１８】
送信が終わると画像配信通知処理の動作を終了する。
【０２１９】
図２８はネットワークカメラの画像配信に関わる画像配信通知受信処理を示すフロー図である。
【０２２０】
画像配信通知受信処理は、不審者を撮像したネットワークカメラの処理で、入力ＳＷ９３（不審者）がＯＮとなったネットワークカメラにて、不審者を撮像したネットワークカメラに対して送信されたＨＴＴＰメッセージを、インターネットを介して受信し、受信したＨＴＴＰメッセージに基づき、不審者の撮像画像をインターネットを介して、他のネットワークカメラに画像配信するための処理である。
【０２２１】
以下、図２３、図２５と図２８を参照して、不審者を撮像したネットワークカメラの画像配信通知受信処理の動作について説明する。
【０２２２】
図２８において、配信情報送受信部９６は、インターネットを介してＨＴＴＰメッセージの受信を待つ（ステップＳ１２０）。ＨＴＴＰメッセージを受信するとステップＳ１２１へ移行する。
【０２２３】
配信情報送受信部９６は、ステップＳ１２０にて受信したＨＴＴＰメッセージを画像配信制御部８３へ送る（ステップＳ１２１）。
【０２２４】
画像配信制御部８３は、ステップＳ１２１にて配信情報送受信部９６から送られたＨＴＴＰメッセージを受取り、メッセージに配信先ＵＲＬがあるか判定する（ステップＳ１２２）。配信先ＵＲＬがあると判定されると、ステップＳ１２３へ移行する。配信先ＵＲＬがないと判定されると、ステップＳ１２５へ移行する。
【０２２５】
画像配信制御部８３は、ステップＳ１２２にて配信先ＵＲＬがあると判定されると、配信先ＵＲＬで特定されるネットワークカメラに対して、ＨＴＴＰメッセージおよび、カメラ機構部３３にて撮像の画像を画像処理部４９、画像符号化処理部３４にて処理した、不審者を写した撮像画像と、ステップＳ１２２にて配信情報送受信部９６から送られたＨＴＴＰメッセージの中のセンサ情報（不審者）と、を合成し、合成された画像を、インターネット接続部４３を経由し、インターネットを介して画像を配信し、ステップＳ１２４へ移行する（ステップＳ１２３）。
【０２２６】
画像配信制御部８３は、配信先ＵＲＬで特定される全てのネットワークカメラに画像の配信が終了したか判定する（ステップＳ１２４）。配信先ＵＲＬの全てに配信が終了しないと判定されると、ステップＳ１２３へ移行する。配信先ＵＲＬに全て配信が終了したと判定されると、画像配信通知受信処理を終了する。
【０２２７】
画像配信制御部８３は、ステップＳ１２２にて配信先ＵＲＬがないと判定されると、接続情報管理部９１、内部の接続情報メモリ９１１から防犯登録されたネットワークカメラのＵＲＬを読出す（ステップＳ１２５）。
【０２２８】
画像配信制御部８３は、ステップＳ１２５にて読出した防犯登録されたＵＲＬにて特定されるネットワークカメラに対して、ＨＴＴＰメッセージおよび、カメラ機構部３３にて撮像の画像を画像処理部４９、画像符号化処理部３４にて処理した、不審者を写した撮像画像と、ステップＳ１２２にて配信情報送受信部９６から送られたＨＴＴＰメッセージの中のセンサ情報（不審者）と、を合成し、合成された画像を、インターネット接続部４３を経由し、インターネットを介して画像を配信し、ステップＳ１２７へ移行する（ステップＳ１２６）。
【０２２９】
画像配信制御部８３は、防犯登録されたＵＲＬで特定される全てのネットワークカメラに画像の配信が終了したか判定する（ステップＳ１２７）。防犯登録されたＵＲＬの全てに配信が終了しないと判定されると、ステップＳ１２６へ移行する。防犯登録されたＵＲＬに全て配信が終了したと判定されると、画像配信通知受信処理を終了する。
【０２３０】
尚、請求項記載の、画像配信手段は画像配信制御部８３、配信情報送受信手段は配信情報送受信部９６、配信情報記憶手段は配信情報記憶制御部９５、に相当するものである。
【０２３１】
第４の実施の形態によれば、ユーザがテレビでネットワークカメラの撮像した画像から不審者を見つけて警報のスイッチをＯＮすると、不審者を撮像したネットワークカメラに対して、警報のスイッチをＯＮとしたネットワークカメラから、その不審者の撮像画像を配信する配信先のネットワークカメラＵＲＬを送信するので、不審者を撮像したネットワークカメラは送信された配信先のＵＲＬを受信し、受信した配信先ＵＲＬに基づき、撮像した画像をインターネットを介して画像配信し、配信先のＵＲＬで特定されるネットワークカメラはそれを受信し、ユーザのテレビに通報メッセージと不審者の画像及びその画像を撮像したカメラ情報を画面表示するようにしたので、不審者の撮像画像を不審者を発見したユーザが指定したネットワークカメラだけに配信するので、不審者の情報を近隣家庭で共有でき、互いに緊密な防犯連絡を行うことができる。
【０２３２】
また、公園での不審者の発見を子供がいる家庭だけに画像の配信先を指定すれば、きめ細かい防犯ができる。
【産業上の利用可能性】
【０２３３】
本発明のネットワークカメラ防犯システムによれば、ネットワークカメラは、インターネットを介して複数のネットワークカメラと接続し、各々のネットワークカメラに対応付けた選択情報であるＵＲＬコード又はＱＲコードを記憶し、この選択情報に基づき、他のネットワークカメラの撮像手段にて撮像した画像をインターネットを介して取得し、画像表示装置で取得画像を表示できるようにしたので、ユーザ端末装置のユーザは、撮像を所望するネットワークカメラを特定する選択情報（ＵＲＬコード又はＱＲコード）を、画像表示装置と接続されたネットワークカメラにインターネットを介して送信するだけで、画像表示装置に取得画像を表示出力できるため、例えば町内での防犯監視システム、公園内での園児監視システム、訪問者の道案内支援システム等に有用である。
【図面の簡単な説明】
【０２３４】
【図１】本発明のネットワークカメラ防犯システムにおける第１の実施の形態を示すネットワークカメラ防犯システムを示す概念図
【図２】第１の実施の形態に関わるネットワークカメラ防犯システムのネットワークカメラ撮像イメージ示すイメージ図
【図３】第１の実施の形態に関わるネットワークカメラ防犯システムのネットワークカメラ内部、及びカメラ付携帯電話の構成を示すブロック図
【図４】第１の実施の形態に関わるカメラ付携帯電話から所望する画像を取得するためのネットワークカメラ選択動作イメージを示すイメージ図
【図５】第１の実施の形態に関わるカメラ付携帯電話の電子メールに関わるＱＲコード送信イメージを示すイメージ図
【図６】第１の実施の形態に関わるカメラ付携帯電話の電子メールに関わるＵＲＬコード送信イメージを示すイメージ図
【図７】第１の実施の形態に関わるカメラ付携帯電話内部の電子メールに関わる電子メール処理動作を示すフロー図
【図８】第１の実施の形態に関わるネットワークカメラのインターネット経由の画像取得に関わる処理動作を示すフロー図
【図９】第２の実施の形態を示すネットワークカメラ防犯システムを示す概念図
【図１０】第２の実施の形態に関わるネットワークカメラ防犯システムの警報メッセージに関わるテレビ画面イメージを示すイメージ図
【図１１】第２の実施の形態に関わるカメラ付携帯電話の防犯ネットワーク登録に関わる登録ＱＲコード送信イメージを示すイメージ図
【図１２】第２の実施の形態に関わるカメラ付携帯電話の防犯ネットワーク登録に関わる登録コード送信イメージを示すイメージ図
【図１３】第２の実施の形態に関わるカメラ付携帯電話のセンサ情報登録に関わるセンサ情報登録送信イメージを示すイメージ図
【図１４】第２の実施の形態に関わるネットワークカメラ防犯システムのネットワークカメラ内部、及びカメラ付携帯電話の構成を示すブロック図
【図１５】第２の実施の形態に関わるネットワークカメラのセンサ情報記憶に関わるセンサ情報メモリのテーブル内容を示す説明図
【図１６】第２の実施の形態に関わるネットワークカメラの接続情報記憶に関わる接続情報メモリのテーブル内容を示す説明図
【図１７】第２実施の形態に関わるネットワークカメラに接続された入力ＳＷオンに関わる警報メッセージメール送信処理動作を示すフロー図
【図１８】第２実施の形態に関わるネットワークカメラに接続された入力ＳＷオンに関わる警報メッセージメール受信処理動作を示すフロー図
【図１９】第２実施の形態に関わるネットワークカメラの警報メッセージメール送信の電文を端的に表した図
【図２０】第３の実施の形態に関わるネットワークカメラ防犯システムのネットワークカメラ内部、及びカメラ付携帯電話の構成を示すブロック図
【図２１】第３の実施の形態に関わるネットワークカメラのカメラ付携帯電話に関わるメールアドレス記憶メモリのテーブル内容を示す説明図
【図２２】第３の実施の形態に関わるネットワークカメラのカメラ付携帯電話への警報メッセージメール送信の送信処理動作を示すフロー図
【図２３】第４の実施の形態に関わるネットワーク防犯システムのネットワークカメラ内部、及びカメラ付携帯電話の構成を示すブロック図
【図２４】第４の実施の形態に関わるネットワークカメラの配信情報記憶に関わる配信情報メモリのテーブル内容を示す説明図
【図２５】第４の実施の形態に関わるネットワークカメラのＨＴＴＰ通信に関わるクライアントからサーバに送信する指定送信先のデータ内容を示すテキスト図
【図２６】第４の実施の形態に関わるネットワーク防犯システムのネットワークカメラの画像配信に関わる表示画像及び通信プロトコルを端的に示すシーケンス図
【図２７】第４の実施の形態に関わるネットワークカメラの画像配信に関わる画像配信通知処理を示すフロー図
【図２８】第４の実施の形態に関わるネットワーク防犯システムの画像配信に関わる画像配信通知受信処理を示すフロー図
【符号の説明】
【０２３５】
２    ネットワークカメラ
２０    ネットワークカメラ
２０１    ネットワークカメラ
３    カメラ付携帯電話（ユーザ端末装置）
５    監視カメラ
１３    テレビ（画像表示装置）
１５    インターネット
３１    ＣＰＵ
３２    システム制御部
３３    カメラ機構部（撮像手段）
３４    画像符号化処理部
３８    表示出力制御部（表示出力手段）
３８１    ＮＴＳＣ信号変換部（ＮＴＳＣ信号変換手段）
４１    画像取得部（画像取得手段）
４１１    クライアント・サーバ制御部
４１２    インターネット制御部（センサ情報送信手段）
４１３    ブラウズ制御部
４２    メール制御部（受信手段）
４２１    ＱＲコード復元部（二次元コード復元手段）
４２２    ＵＲＬ記憶部（ＵＲＬ記憶手段）
４３    インターネット接続部
４４    ＴＡ
４５    電子メール送受信アプリ（選択情報送信手段）
４６    ＱＲコード符号化アプリ
４９    画像処理部
５０    入力キー（入力手段）
８１    ユーザ端末管理部（ユーザ端末記憶手段）
８２    ユーザ端末転送部（転送手段）
８３    画像配信制御部（画像配信手段）
９１    接続情報管理部（防犯監視ＵＲＬ記憶手段）
９１１    接続情報メモリ
９２    センサ情報記憶制御部（センサ情報記憶手段）
９２１    センサ情報メモリ
９３    入力ＳＷ
９４    外部入力制御部（入力手段）
９４    外部入力制御部（入力手段）
９５    配信情報記憶制御部（配信情報記憶手段）
９５１    配信情報メモリ
９６    配信情報送受信部（配信情報送受信手段）
【図１】
2007074338.tif 000003
【図２】
2007074338.tif 000004
【図３】
2007074338.tif 000005
【図４】
2007074338.tif 000006
【図５】
2007074338.tif 000007
【図６】
2007074338.tif 000008
【図７】
2007074338.tif 000009
【図８】
2007074338.tif 000010
【図９】
2007074338.tif 000011
【図１０】
2007074338.tif 000012
【図１１】
2007074338.tif 000013
【図１２】
2007074338.tif 000014
【図１３】
2007074338.tif 000015
【図１４】
2007074338.tif 000016
【図１５】
2007074338.tif 000017
【図１６】
2007074338.tif 000018
【図１７】
2007074338.tif 000019
【図１８】
2007074338.tif 000020
【図１９】
2007074338.tif 000021
【図２０】
2007074338.tif 000022
【図２１】
2007074338.tif 000023
【図２２】
2007074338.tif 000024
【図２３】
2007074338.tif 000025
【図２４】
2007074338.tif 000026
【図２５】
2007074338.tif 000027
【図２６】
2007074338.tif 000028
【図２７】
2007074338.tif 000029
【図２８】
2007074338.tif 000030